(57)【要約】  ＦＤ−ＭＩＭＯにおいて効果的にビーム間の干渉を低減させることが可能な端末装置を提供する。  接続状態にある基地局のそれぞれのアンテナポートに割り当てられ、前記基地局からビームフォーミングされる重み付けされたリファレンス信号の受信強度について、前記アンテナポートに紐付いた測定報告を、１つ以上のアンテナポート毎に行う制御部を備える、端末装置が提供される。
2017086011.tif 000002
【特許請求の範囲】
【請求項１】
接続状態にある基地局のそれぞれのアンテナポートに割り当てられ、前記基地局からビームフォーミングされる重み付けされたリファレンス信号の受信強度について、前記アンテナポートに紐付いた測定報告を、１つ以上のアンテナポート毎に行う制御部を備える、端末装置。
【請求項２】
前記制御部は、データ信号用の所定のチャネルに割り当てられた前記基地局の固有ビームの前記リファレンス信号の受信強度と、他の前記リファレンス信号の受信強度とから、ビーム間干渉推定値を算出する、請求項１に記載の端末装置。
【請求項３】
前記制御部は、前記ビーム間干渉推定値が所定の閾値を超えた場合に、該ビーム間干渉推定値を含んだ測定報告を前記基地局に送信する、請求項２に記載の端末装置。
【請求項４】
前記制御部は、サブバンド毎に前記ビーム間干渉推定値を含んだ測定報告を行う、請求項２に記載の端末装置。
【請求項５】
前記制御部は、前記リファレンス信号の受信時に選択したアンテナポートの情報を含んだ測定報告を行う、請求項２に記載の端末装置。
【請求項６】
前記制御部は、サブバンド毎に前記受信強度の測定報告を行う、請求項１に記載の端末装置。
【請求項７】
前記基地局からデータ信号用の所定のチャネルがビームフォーミングして送信される際に、ＦＤ−ＭＩＭＯ（Ｆｕｌｌ−Ｄｉｍｅｎｓｉｏｎ  ＭＩＭＯ）用の送信モードであることを前記基地局から取得する取得部を備える、請求項１に記載の端末装置。
【請求項８】
前記取得部は、ＦＤ−ＭＩＭＯ用の送信モードであることをＲＲＣ（Ｒａｄｉｏ  Ｒｅｓｏｕｒｃｅ  Ｃｏｎｔｒｏｌ）シグナリングで前記基地局から取得する、請求項７に記載の端末装置。
【請求項９】
前記基地局からデータ信号用の所定のチャネルがビームフォーミングして送信される際に、前記所定のチャネルに割り当てられたビームのアンテナポートの情報を前記基地局から取得する取得部を備える、請求項１に記載の端末装置。
【請求項１０】
前記取得部は、前記アンテナポートの情報を、ＲＲＣシグナリングで前記基地局から取得する、請求項９に記載の端末装置。
【請求項１１】
それぞれのアンテナポートに重み付けされたリファレンス信号を割り当ててビームフォーミングして送信する送信部と、  前記リファレンス信号の受信強度について、１つ以上の前記アンテナポート毎に前記アンテナポートに紐付いた測定報告を接続状態にある端末装置から取得する取得部と、を備える、無線通信装置。
【請求項１２】
前記送信部は、ＦＤ−ＭＩＭＯに対応する端末装置にデータ信号用の所定のチャネルをビームフォーミングして送信する際に、ＦＤ−ＭＩＭＯ用の送信モードであることを前記端末装置に通知する、請求項１１に記載の無線通信装置。
【請求項１３】
前記送信部は、ＦＤ−ＭＩＭＯ用の送信モードであることをＲＲＣシグナリングで前記端末装置に通知する、請求項１２に記載の無線通信装置。
【請求項１４】
前記送信部は、ＦＤ−ＭＩＭＯに対応する端末装置にデータ信号用の所定のチャネルをビームフォーミングして送信する際に、前記所定のチャネルに割り当てられたビームのアンテナポートの情報を前記端末装置に通知する、請求項１１に記載の無線通信装置。
【請求項１５】
前記送信部は、前記アンテナポートの情報を、ＲＲＣシグナリングで前記端末装置ごとに通知する、請求項１４に記載の無線通信装置。
【請求項１６】
前記取得部は、前記端末装置からビーム間干渉推定値を取得し、前記送信部は、前記ビーム間干渉推定値に基づいて他の基地局との間でスケジューリングの情報を通信する、請求項１１に記載の無線通信装置。
【請求項１７】
前記送信部は、スケジューリングの対象となるサブバンドの情報を通信する、請求項１６に記載の無線通信装置。
【請求項１８】
前記送信部は、スケジューリングの対象となるビームを特定するビーム識別子の情報を通信する、請求項１６に記載の無線通信装置。
【請求項１９】
前記送信部は、スケジューリングの対象となるビームを送信するアンテナポートの情報を通信する、請求項１６に記載の無線通信装置。
【請求項２０】
それぞれのアンテナポートに重み付けされたリファレンス信号を割り当ててビームフォーミングして送信することと、  前記リファレンス信号の受信強度について、１つ以上の前記アンテナポート毎に前記アンテナポートに紐付いた測定報告を接続状態にある端末装置から取得することと、を含む、通信方法。
【発明の詳細な説明】
【技術分野】
【０００１】  本開示は、端末装置、無線通信装置及び通信方法に関する。
【背景技術】
【０００２】  近年のデータトラフィックの急増に対して、無線アクセスの能力向上が急務となっている。高速で大容量の無線アクセスネットワークの実現のため、ＵＨＦ（Ｕｌｔｒａ  Ｈｉｇｈ  Ｆｒｅｑｕｅｎｃｙ）帯の比較的低い周波数を使用するマクロセルと、比較的高い周波数を使用するスモールセルとをオーバーレイして配置することが検討されており、高周波帯を使用するスモールセルでは、大きな伝搬損失を補償するＦｕｌｌ−Ｄｉｍｅｎｓｉｏｎ  （ＦＤ）  ＭＩＭＯ（Ｍｕｌｔｉ−Ｉｎｐｕｔ  Ｍｕｌｔｉ−Ｏｕｔｐｕｔ）が検討されている。ＦＤ−ＭＩＭＯは、基地局アンテナを水平及び垂直方向の２次元に配置してＭＩＭＯ通信を行う技術である（例えば特許文献１等参照）。
【先行技術文献】
【特許文献】
【０００３】
【特許文献１】特開２０１５−１０９６９２号公報
【発明の概要】
【発明が解決しようとする課題】
【０００４】  ＦＤ−ＭＩＭＯにおいて、多くのリファレンスシグナルを送る際のオーバーヘッドや、基地局と端末の処理の増大、基地局の無線装置のコスト増大等に対処するため、サブアレー方式のＦＤ−ＭＩＭＯ構成やビームフォーミングされたリファレンスシグナルの採用などが検討されている。【０００５】  ビームフォーミングはビーム幅を狭くすることで受信端の信号電力を向上し通信品質を向上する効果と、方向の異なる複数のビーム間でユーザを多重することによりセルスループットを向上する効果が期待される。しかし、ビーム間で干渉があると、同じリソースに割り当てられたデータがビーム間で干渉し通信品質を低下させ、充分なユーザ多重数が確保できなくなる。【０００６】  そこで、本開示では、ＦＤ−ＭＩＭＯにおいて効果的にビーム間の干渉を低減させることが可能な、新規かつ改良された端末装置、無線通信装置及び通信方法を提案する。
【課題を解決するための手段】
【０００７】  本開示によれば、接続状態にある基地局のそれぞれのアンテナポートに割り当てられ、前記基地局からビームフォーミングされる重み付けされたリファレンス信号の受信強度について、前記アンテナポートに紐付いた測定報告を、１つ以上のアンテナポート毎に行う制御部を備える、端末装置が提供される。【０００８】  また本開示によれば、それぞれのアンテナポートに重み付けされたリファレンス信号を割り当ててビームフォーミングして送信する送信部と、前記リファレンス信号の受信強度について、１つ以上の前記アンテナポート毎に前記アンテナポートに紐付いた測定報告を接続状態にある端末装置から取得する取得部と、を備える、基地局が提供される。【０００９】  また本開示によれば、接続状態にある基地局のそれぞれのアンテナポートに割り当てられ、前記基地局からビームフォーミングされる重み付けされたリファレンス信号の受信強度について、前記アンテナポートに紐付いた測定報告を、１つ以上のアンテナポート毎に行うことを含む、通信方法が提供される。【００１０】  また本開示によれば、それぞれのアンテナポートに重み付けされたリファレンス信号を割り当ててビームフォーミングして送信することと、前記リファレンス信号の受信強度について、１つ以上の前記アンテナポート毎に前記アンテナポートに紐付いた測定報告を接続状態にある端末装置から取得することと、を含む、通信方法が提供される。
【発明の効果】
【００１１】  以上説明したように本開示によれば、ＦＤ−ＭＩＭＯにおいて効果的にビーム間の干渉を低減させることが可能な、新規かつ改良された端末装置、無線通信装置及び通信方法を提供することが出来る。【００１２】  なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１３】
【図１】ＦＤ−ＭＩＭＯの使用例を示す説明図である。
【図２】ＴＸＲＵの接続例を示す説明図である。
【図３】６４素子のアンテナアレーと１６個のＴＸＲＵによるアンテナアレーの構成例を示す説明図である。
【図４】セル固有重み行列と、端末固有重み行列とによって鋭いＰＤＳＣＨビームが生成される例を示す説明図である。
【図５】ＴＸＲＵから放射されるビームパターンの例を示す説明図である。
【図６】ＰＤＳＣＨのビームの例を示す説明図である。
【図７】各Ｔｒａｎｓｍｉｓｓｉｏｎ  ｍｏｄｅに関連するリファレンスシグナルおよびアンテナポートの対応例を示している。
【図８】サイドローブの影響によるビーム間干渉の例を示す説明図である。
【図９】セル固有ビームへのユーザデータ割り当ての例を示す説明図である。
【図１０】同じビルに複数のセルからＦＤ−ＭＩＭＯのビームが向けられている例を示す説明図である。
【図１１】本開示の実施形態に係る通信システム１の概略的な構成の一例を示す説明図である。
【図１２】本開示の実施形態に係る端末装置１００の構成の一例を示すブロック図である。
【図１３】本開示の実施形態に係る基地局２００の機能構成例を示すブロック図である。
【図１４】本開示の実施形態に係る制御エンティティ３００の機能構成例を示すブロック図である。
【図１５】基地局２００のアンテナ部２１０の構成例を示す説明図である。
【図１６】図１５のように構成されたアンテナ部２１０から送信されるＣＳＩ−ＲＳビームの例を示す説明図である。
【図１７】端末装置１００及び基地局２００の動作例を示す流れ図である。
【図１８】本開示に係る技術が適用され得るサーバ７００の概略的な構成の一例を示すブロック図である。
【図１９】本開示に係る技術が適用され得るｅＮＢの概略的な構成の第１の例を示すブロック図である。
【図２０】本開示に係る技術が適用され得るｅＮＢの概略的な構成の第２の例を示すブロック図である。
【図２１】本開示に係る技術が適用され得るスマートフォン９００の概略的な構成の一例を示すブロック図である。
【図２２】本開示に係る技術が適用され得るカーナビゲーション装置９２０の概略的な構成の一例を示すブロック図である。
【発明を実施するための形態】
【００１４】  以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】  なお、説明は以下の順序で行うものとする。
【００１６】  なお、説明は以下の順序で行うものとする。  １．本開示の実施の形態    １．１．背景    １．２．構成例      １．２．１．通信システムの構成例      １．２．２．端末装置の構成例      １．２．３．基地局の構成例      １．２．４．制御エンティティの構成例    １．３．動作例  ２．応用例  ３．まとめ
【００１７】  近年の無線通信環境は、データトラフィックの急増に直面している。そして、データトラフィックの急増に対して、無線アクセスの能力向上が急務となっている。高速で大容量の無線アクセスネットワークの実現のため、ＵＨＦ（Ｕｌｔｒａ  Ｈｉｇｈ  Ｆｒｅｑｕｅｎｃｙ）帯の比較的低い周波数を使用するマクロセルと、比較的高い周波数を使用するスモールセルとをオーバーレイして配置することが検討されており、高周波帯を使用するスモールセルでは、大きな伝搬損失を補償するＦｕｌｌ−Ｄｉｍｅｎｓｉｏｎ  （ＦＤ）  ＭＩＭＯ（Ｍｕｌｔｉ−Ｉｎｐｕｔ  Ｍｕｌｔｉ−Ｏｕｔｐｕｔ）が検討されている。ＦＤ−ＭＩＭＯは、基地局アンテナを水平及び垂直方向の２次元に配置してＭＩＭＯ通信を行う技術である。
【００１８】  ＦＤ−ＭＩＭＯは、多くのアンテナ素子を二次元に配置するアレーアンテナによって鋭いビームをビルの高層階に向けることも可能となり、チルト角ごとにセクタ化されたビームを使用するなどしてビルのカバレッジを改善するユースケースも検討されている。図１は、ＦＤ−ＭＩＭＯの使用例を示す説明図である。図１には、ビルに向けて４方向のビームを放射することでビルのカバレッジを改善し、ビルの中にある端末（Ｕｓｅｒ  Ｅｑｕｉｐｍｅｎｔ；ＵＥ）の受信効率を改善させるユースケースの例が示されている。
【００１９】  多くのアンテナ素子で構成するアレーアンテナを用いて鋭いビームを形成し信号を送信するＦＤ−ＭＩＭＯにおいて、多くのリファレンスシグナルを送る際のオーバーヘッド、基地局と端末の処理の増大、基地局の無線装置のコスト増大等に対処するため、サブアレー方式のＦＤ−ＭＩＭＯ構成やビームフォーミングされたリファレンスシグナルの採用などが検討されている。
【００２０】  基地局は、サブアレーごとに割り当てられたセル固有の重み行列を使用してＣＳＩ−ＲＳをビームフォーミングして送信する。そして、ビームフォーミングされたＣＳＩ−ＲＳ（ｂｅａｍｆｏｒｍｅｄ  ＣＳＩ−ＲＳ）を検出した端末にそのセル固有ビームを割り当て、セル固有の重み行列を端末へのデータに乗算して送信することが検討されている。また複数のＣＳＩ−ＲＳを検出した端末には複数のセル固有ビームを割り当てることが可能となる。端末が、複数のｂｅａｍｆｏｒｍｅｄ  ＣＳＩ−ＲＳによるチャネル推定結果をチャネル状態報告として基地局に報告することによって、基地局は端末ごとに端末固有の重み行列を生成し、端末固有の重み行列と複数のセル固有重み行列を端末へのデータに乗算して送信し、セル固有ビームよりさらに鋭いビームを端末に提供してより良い通信品質や高速のデータレートを提供し得る。
【００２１】  ＦＤ−ＭＩＭＯでは、アンテナアレーを構成するアンテナ素子数が非常に大きい。そのため、複数個のアンテナ素子に信号を供給するトランシーバーユニット（ＴＸＲＵ）と各アンテナ素子間にアナログの固定の移相器を置いて構成する事で、ベースバンド（ｂａｓｅｂａｎｄ：ＢＢ）回路を簡略化し無線機のコストを低減することが検討されている（３ＧＰＰ  ＴＲ３６．８９７  ｖ０．１．１）。また複数個のアンテナ素子に信号を供給するトランシーバーユニット（ＴＸＲＵ）と各アンテナ素子間にアナログの固定の移相器を置いて構成する事で、全てのアンテナ素子に対する重み係数の調整に比べて、鋭いビームを維持しながらユーザ毎に調整する重み行列のサイズが限定され、処理が軽くなる。
【００２２】  図２は、ＴＸＲＵの接続例を示す説明図である。例えばＭ×Ｎのアンテナ素子で構成されるアンテナアレーにおいて、垂直方向のＭ個のアンテナ素子をサブアレーに分けてＴＸＲＵと接続する場合、垂直方向のＴＸＲＵの個数をＭＴＸＲＵとすると、ＴＸＲＵの全数量はＭＴＸＲＵ×Ｎとなる。ＴＸＲＵから放射されるビームのチルト角をθｅｔｉｌｔとするとＴＸＲＵとアンテナ素子間のｗは以下の数式１で表される。
【００２３】
【数１】
2017086011.tif 000003
【００２４】  図３は、６４素子のアンテナアレーと１６個のＴＸＲＵによるアンテナアレーの構成例を示す説明図である。１６個のＴＸＲＵは、セル固有重み行列を通して１６個のサブアレーに１対１で接続される。垂直方向には２つのサブアレーとＴＸＲＵが配置されており、この垂直方向の２つのＴＸＲＵが使用する重み係数Ｗ１〜Ｗ４とＷ５〜Ｗ８は異なっており、異なる方向へのビームを生成する。水平方向（コラム方向）には８個のサブアレーとＴＸＲＵが配置されており、この水平方向の８個のＴＸＲＵは同じ重み行列を使用し、同じ方向へのビームを生成する。
【００２５】  図４は、セル固有重み行列と、端末固有重み行列とによって鋭いＰＤＳＣＨ（Ｐｈｙｓｉｃａｌ  Ｄｏｗｎｌｉｎｋ  Ｓｈａｒｅｄ  Ｃｈａｎｎｅｌ）ビームが生成される例を示す説明図である。基地局２００は、ＰＤＳＣＨとＤＭ−ＲＳ（復調基準信号）とをリソースエレメントにマッピングし、端末固有の重み係数Ｗ１，１、Ｗ２，１、Ｗ１，２、Ｗ２，２、Ｗ１，３、Ｗ２，３、Ｗ１，４、Ｗ２，４、Ｗ１，５、Ｗ２，５、Ｗ１，６、Ｗ２，６、Ｗ１，７、Ｗ２，７、Ｗ１，８、Ｗ２，８を与え、ＴＸＲＵ１〜ＴＸＲＵ１６を通じて１６個のサブアレーからそれぞれ放射する。
【００２６】  図５は、Ｍ＝８、Ｎ＝８の６４素子のアンテナアレーで、ＭＴＸＲＵ＝２の場合における、ＴＸＲＵから放射されるビームパターンの例を示す説明図である。図６は、ＰＤＳＣＨのビームの例を示す説明図である。各ＴＸＲＵに適切な重みを挿入するプリウェイトを置けば、ＰＤＳＣＨのビームは図６のように鋭くなる。例えば、基地局は、端末が送信するＳｏｕｎｄｉｎｇ  Ｒｅｆｅｒｅｎｃｅ  Ｓｉｇｎａｌ（ＳＲＳ）から端末の方角を推定することができるとともに、ＰＤＳＣＨのビームが最適な向きとなるよう、ＴＸＲＵの前段に置くプリウェイトを調節できる。
【００２７】  （従来のチャネル推定用リファレンスシグナル）  ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）は、変調方式の決定、ＭＩＭＯおよびビームフォーミングのアンテナ重み係数の決定などの、ダウンリンクのチャネル推定のためのリファレンスシグナルである。端末は、基地局からＣＳＩ−ＲＳを受信し、ＣＳＩ−ＲＳの受信に応じて、チャネル推定結果をチャネル状態報告として基地局に報告する。ＣＳＩ−ＲＳを構成するリファレンスシグナルの数（１，２，４，８）に応じてアンテナポート１５〜２２が使用される。
【００２８】  ＣＳＩ−ＲＳが送信されるアンテナポート、ＣＳＩ−ＲＳが挿入されるリソースエレメントの位置、ＣＳＩ−ＲＳが挿入されるサブフレームに関する情報などは、端末にＲＲＣシグナリングで通知されるＣＳＩ  Ｒｅｆｅｒｅｎｃｅ  Ｓｉｇｎａｌ  Ｃｏｎｆｉｇｕｒａｔｉｏｎ（ＣＳＩ−ＲＳ構成情報）によって通知される。
【００２９】  ＣＳＩ  Ｒｅｆｅｒｅｎｃｅ  Ｓｉｇｎａｌ  Ｃｏｎｆｉｇｕｒａｔｉｏｎには、Ａｎｔｅｎｎａ  ｐｏｒｔ  ｃｏｕｎｔ，ＣＳＩ  ｒｅｆｅｒｅｎｃｅ  Ｓｉｇｎａｌ  ｃｏｎｆｉｇｕｒａｔｉｏｎ，Ｓｕｂｆｒａｍｅ  ｃｏｎｆｉｇｕｒａｔｉｏｎなどが含まれる。
【００３０】  Ａｎｔｅｎｎａ  ｐｏｒｔ  ｃｏｕｎｔは、ＣＳＩ−ＲＳを構成するアンテナポートの数（１，２，４または８）を示す。
【００３１】  ＣＳＩ  ｒｅｆｅｒｅｎｃｅ  Ｓｉｇｎａｌ  ｃｏｎｆｉｇｕｒａｔｉｏｎは０〜３１の値で示され、３ＧＰＰ  ＴＳ３６．２１１  ｔａｂｌｅ６．１０．５．２−１等に規定されるルックアップテーブルで、ＣＳＩ−ＲＳが使うリソースエレメント（ｋ，ｌ）とタイムスロットとが決まる。８アンテナポートの場合にはアンテナポート１５，１６のリソースエレメントがルックアップテーブルで規定され、その他のアンテナポートが使用するリソースエレメントの周波数オフセット値が表１のようになる。
【００３２】
【表１】
2017086011.tif 000004
【００３３】  Ｓｕｂｆｒａｍｅ  ｃｏｎｆｉｇｕｒａｔｉｏｎは０〜１５４の値で示され、３ＧＰＰ  ＴＳ３６．２１１  ｔａｂｌｅ６．１０．５．３−１に規定されるルックアップテーブルでＣＳＩ−ＲＳ  ｐｅｒｉｏｄｉｃｉｔｙとＣＳＩ−ＲＳ  ｓｕｂｆｒａｍｅ  ｏｆｆｓｅｔを与える。リリース１２では、端末に３個までのＣＳＩ  Ｒｅｆｅｒｅｎｃｅ  Ｓｉｇｎａｌ  ｃｏｎｆｉｇｕｒａｔｉｏｎを割り当てることができる。
【００３４】  （CSI Reporting Modeと従来のTransmission Mode）  チャネル状態報告として、Ｐｅｒｉｏｄｉｃ（周期的）かＡｐｅｒｉｏｄｉｃ（非周期的）か、ｗｉｄｅｂａｎｄかｓｕｂ−ｂａｎｄか、ＰＭＩ（Ｐｒｅｃｏｄｉｎｇ  Ｍａｔｒｉｘ  Ｉｎｄｉｃａｔｏｒ）の報告が必要か否かの種別がある。チャネル状態報告は、ＣＳＩ  ｒｅｐｏｒｔｉｎｇ  ｍｏｄｅとして区別されている。ＣＳＩ  ｒｅｐｏｒｔｉｎｇ  ｍｏｄｅは、ＲＲＣメッセージで端末にシグナリングされるＣＱＩ−ＲｅｐｏｒｔＣｏｎｆｉｇの中に示される。
【００３５】  チャネル状態報告のタイミングは、Ａｐｅｒｉｏｄｉｃ  ＣＳＩ  ｒｅｐｏｒｔｉｎｇ  の場合、例えばＰＤＣＣＨ（Ｐｈｙｓｉｃａｌ  Ｄｏｗｎｌｉｎｋ  Ｃｏｎｔｒｏｌ  Ｃｈａｎｎｅｌ）上のＤＣＩ  ｆｏｒｍａｔ  ０  ａｎｄ  ４によるＣＳＩ  Ｒｅｑｕｅｓｔでトリガされる。ＦＤＤ（Ｆｒｅｑｕｅｎｃｙ  Ｄｉｖｉｓｉｏｎ  Ｄｕｐｌｅｘ；周波数分割多重）方式により基地局からＣＳＩ  Ｒｅｑｕｅｓｔを受信した端末は、ＣＳＩ  ｒｅｑｕｅｓｔを受信した４サブフレーム後にＣＳＩ  ｒｅｐｏｒｔを送る。
【００３６】  またチャネル状態報告のタイミングは、Ｐｅｒｉｏｄｉｃ  ＣＳＩ  ｒｅｐｏｒｔｉｎｇの場合、Ｒｅｐｏｒｔｉｎｇの周期はＣＱＩ−ＰＭＩ  Ｃｏｎｆｉｇｕｒａｔｉｏｎ  ＩｎｄｅｘとしてＲＲＣメッセージで端末にシグナリングされる。
【００３７】  端末からのチャネル状態報告は、基地局からの要求に応じてＵＣＩ（Ｕｐｌｉｎｋ  Ｃｏｎｔｒｏｌ  Ｉｎｆｏｒｍａｔｉｏｎ）に、ＣＱＩ（Ｃｈａｎｎｅｌ  Ｑｕａｌｉｔｙ  Ｉｎｄｉｃａｔｏｒｓ）、ＰＭＩ、ＰＴＩ（Ｐｒｅｃｏｄｉｎｇ  Ｔｙｐｅ  Ｉｎｄｉｃａｔｏｒｓ）、ＲＩ（Ｒａｎｋ  Ｉｎｄｉｃａｔｏｒｓ）を含む形で行われる。
【００３８】  複数の種類のＣＳＩ−ＲＳのリソースや複数のレポートのタイミング等は、ＣＳＩ−Ｐｒｏｃｅｓｓごとに設定できる。ＣＳＩ  Ｒｅｆｅｒｅｎｃｅ  Ｓｉｇｎａｌ  ＣｏｎｆｉｇｕｒａｔｉｏｎやＣＱＩ−ＰＭＩ  Ｃｏｎｆｉｇｕｒａｔｉｏｎ  ＩｎｄｅｘはＣＳＩ−ＰｒｏｃｅｓｓＩＤと関連付けられる。
【００３９】  基地局は、ＲＲＣ＿ＣＯＮＮＥＣＴＥＤの端末に対し、端末にデータを送信する方法に応じてＲＲＣシグナリングでｄｏｗｎｌｉｎｋ  ｔｒａｎｓｍｉｓｓｉｏｎ  ｍｏｄｅを通知する。表２は、トランスミッションモードの例を示す説明図である。
【００４０】
【表２】
2017086011.tif 000005
【００４１】  図７は、各Ｔｒａｎｓｍｉｓｓｉｏｎ  ｍｏｄｅに関連するリファレンスシグナルおよびアンテナポートの対応例を示している。Ｔｒａｎｓｍｉｓｓｉｏｎ  ｍｏｄｅ  ９では１つのＵＥに対して８×８までのＭＩＭＯか、同時に２つのＵＥに対してｄｕａｌ  ｌａｙｅｒ  ｂｅａｍｆｏｒｍｉｎｇ、あるいは同時に４つのＵＥに対してｓｉｎｇｌｅ  ｌａｙｅｒ  ｂｅａｍｆｏｒｍｉｎｇをサポートしている。８  ｌａｙｅｒを使用する場合には、ＣＳＩ−ＲＳがアンテナポート１５〜２２の８個のアンテナポートを使用して送信されるが、端末はビームフォーミングに使用される物理的なアンテナ素子や重み行列を知る必要がないため、ＰＤＳＣＨの送信は１コードワードあたり１個のアンテナポートが割り当てられるのみで、ＰＤＳＣＨを送信するアンテナとＣＳＩ−ＲＳが送信されるアンテナポートの関係は通知されていない。
【００４２】  ビームフォーミングは、ビーム幅を狭くすることで受信端の信号電力を向上し通信品質を向上する効果と、方向の異なる複数のビーム間でユーザを多重することによりセルスループットを向上する効果が期待される。しかし、ビーム間干渉があると、同じリソースに割り当てられたデータがビーム間で干渉し通信品質を低下させ、充分なユーザ多重数が確保できなくなる。ＦＤ−ＭＩＭＯでは複数の鋭いビームを僅かな角度差をつけて高層ビルなどをカバーしようとするため、ビーム間干渉の制御が重要となる。
【００４３】  ビーム間干渉を生じる干渉波のモデルとして、基地局内と基地局間の大きく２つの場合が考えられる。（１）同じ基地局内の他のビームの反射波およびサイドローブによる干渉（２）隣接基地局のビームによる干渉  ミリ波のような高周波帯は直進性が強いため、反射波に比べてサイドローブの影響が大きい。
【００４４】  図８は、サイドローブの影響によるビーム間干渉の例を示す説明図である。ＵＥ１とＵＥ２のＰＤＳＣＨデータは、セル固有ビーム１でビームフォーミングして送信され、ＵＥ３とＵＥ４のＰＤＳＣＨデータはセル固有ビーム２でビームフォーミングして送信される。ＵＥ１とＵＥ４は、他のセル固有ビームからの干渉を強く受けている。
【００４５】  図９は、セル固有ビームへのユーザデータ割り当ての例を示す説明図である。図９に示した例では、ＵＥ２とＵＥ３は同じリソースブロックにデータを割り当てられても干渉が少ないので有効に多重できる。一方、ＵＥ１とＵＥ４に割り当てられるビームは異なるが、同じリソースブロックを割り当てると大きなビーム間干渉となる。
【００４６】  このようなビーム間干渉の要因は、キャリア周波数、アンテナ構造、無線回路性能によるものの他、通信路状況によっても変動するため、送信側だけで推測するのは難しい。ダウンリンクのビーム間干渉を端末が測定して基地局に通知し、基地局及び基地局間で干渉制御する仕組みが必要となる。
【００４７】  また、ＦＤ−ＭＩＭＯではビルの高層階にビームを向けることが想定されている。同じビルに複数のセルからＦＤ−ＭＩＭＯのビームが向けられている場合には、同じリソースを複数のビームで使用すると大きな干渉となる。セルを跨ってＦＤ−ＭＩＭＯのビーム間で干渉を低減する方法が無い。
【００４８】  すなわち、ダウンリンクデータにおけるビーム間干渉を端末が測定して基地局に通知し、基地局及び基地局間で干渉制御する仕組みが必要となる。しかし、従来では主に以下の２つの理由により端末は安定したビーム間干渉測定ができなかった。
【００４９】  第１に、端末ごとにＰＤＳＣＨビームに使用されるセル固有ビームと重み係数が割り当てられるが、端末は干渉となり得る他端末向けのビームフォーミングされたＰＤＳＣＨが、どこにスケジューリングされるか把握できない。
【００５０】  第２に、端末はセル固有ビーム（ＴＸＲＵビーム）ごとに送信されるｂｅａｍｆｏｒｍｅｄ  ＣＳＩ−ＲＳを測定することは可能だが、端末向けに送信されるＰＤＳＣＨがどのセル固有ビーム（ＴＸＲＵビーム）で構成されているのかは把握していない。つまり端末は、どのセル固有ビーム（ＴＸＲＵビーム）が干渉ビームなのか把握できない。どのビームが干渉ビームなのかは、ＰＤＳＣＨに使用されたセル固有ビームのアンテナポートを知る必要があるが、従来はＣＳＩ−ＲＳのアンテナポートと、ビームフォーミングのｔｒａｎｓｍｉｓｓｉｏｎ  ｍｏｄｅ  （ＴＭ７，８，９）に使用されるＰＤＳＣＨのアンテナポートは関連付けされていなかった。
【００５１】  そこで本件開示者は、上述した背景に鑑み、ダウンリンクデータにおけるビーム間干渉を端末が測定して基地局に通知し、基地局及び基地局間で干渉制御する仕組みについて鋭意検討を行った。その結果、本件開示者は、ダウンリンクデータにおけるビーム間干渉を端末が測定して基地局に通知し、基地局及び基地局間で干渉制御する仕組みを考案するに至った。
【００５２】  以上、本開示の実施の形態の背景について説明した。続いて、本開示の実施の形態の構成例について説明する。
【００５３】  ［１．２．構成例］    （１．２．１．通信システムの構成例）  まず、本開示の実施形態に係る通信システム１の概略的な構成を説明する。図１１は、本開示の実施形態に係る通信システム１の概略的な構成の一例を示す説明図である。図１１を参照すると、通信システム１は、端末装置１００、基地局２００及び制御エンティティ３００を含む。通信システム１は、例えば、ＬＴＥ、ＬＴＥ−Ａｄｖａｎｃｅｄ、又はこれらに準ずる通信規格に準拠したシステムである。
【００５４】  端末装置１００は、基地局２００との無線通信を行う。また、端末装置１００は、セル（例えば、サービングセル及び近隣セル）についての測定（measurements）を行う。また、端末装置１００は、基地局２００への測定報告（即ち、測定結果の報告）を行う。
【００５５】  基地局２００は、端末装置１００を含む１つ以上の端末装置との無線通信を行う。また、基地局２００は、端末装置により報告される測定結果に基づいて、当該端末装置のハンドオーバを決定する。基地局２００は、マクロセルの基地局（即ち、マクロ基地局）であってもよく、又はスモールセルの基地局（即ち、スモール基地局）であってもよい。
【００５６】  制御エンティティ３００は、本開示の各実施形態に応じた制御を行う。制御エンティティ３００は、例えば、既存の又は新規のコアネットワークノードである。あるいは、制御エンティティ３００は、基地局であってもよい。一例として、基地局２００がスモール基地局である場合に、制御エンティティ３００はマクロ基地局であってもよい。
【００５７】  なお、本開示の実施形態では、例えば、セル（例えば、スモールセル）の「オン状態」とは、当該セルの基地局が当該セルにおいて信号（データ信号及び制御信号）を送受信する状態である。一方、例えば、セル（例えば、スモールセル）の「オフ状態」とは、当該セルの基地局が当該セルにおいて一部の制御信号（例えば、ＤＲＳ）を除き信号を送受信しない状態である。あるいは、セルの「オフ状態」とは、当該セルの基地局が当該セルにおいていずれの信号も送受信しない状態であってもよい。
【００５８】  以上、図１１を用いて本開示の実施形態に係る通信システム１の概略的な構成の一例を説明した。続いて、本開示の実施形態に係る端末装置１００の構成例について説明する。
【００５９】  （１．２．２．端末装置の構成例）  図１２は、本開示の実施形態に係る端末装置１００の構成の一例を示すブロック図である。図１２を参照すると、端末装置１００は、アンテナ部１１０、無線通信部１２０、記憶部１３０及び処理部１４０を備える。
【００６０】  （アンテナ部１１０）  アンテナ部１１０は、無線通信部１２０により出力される信号を電波として空間に放射する。また、アンテナ部１１０は、空間の電波を信号に変換し、当該信号を無線通信部１２０へ出力する。
【００６１】  （無線通信部１２０）  無線通信部１２０は、信号を送受信する。例えば、無線通信部１２０は、基地局からのダウンリンク信号を受信し、基地局へのアップリンク信号を送信する。
【００６２】  （記憶部１３０）  記憶部１３０は、端末装置１００の動作のためのプログラム及びデータを一時的にまたは恒久的に記憶する。
【００６３】  （処理部１４０）  処理部１４０は、端末装置１００の様々な機能を提供する。処理部１４０は、情報取得部１４１及び制御部１４３を含む。なお、処理部１４０は、これらの構成要素以外の他の構成要素をさらに含み得る。即ち、処理部１４０は、これらの構成要素の動作以外の動作も行い得る。
【００６４】  （情報取得部１４１）  情報取得部１４１は、アンテナ部１１０が受信した電波から得られた信号から、種々の情報を取得する。本実施形態では、情報取得部１４１は、基地局２００から送信されるビームフォーミングされたリファレンス信号や、データチャネルに乗せられたデータを取得する。情報取得部１４１は、例えばセル固有ビーム構成情報を取得する。セル固有ビーム構成情報は、ＰＤＳＣＨビームを構成するセル固有ビームのアンテナポートであってもよく、基地局２００で生成される端末固有重み行列に関する情報であってもよい。
【００６５】  （制御部１４３）  制御部１４３は、端末装置１００の動作を制御するものである。本実施形態では、例えば、制御部１４３は、接続状態にある基地局のそれぞれのアンテナポートに割り当てられ、基地局２００からビームフォーミングされる重み付けされたリファレンス信号（ＣＳＩ−ＲＳ）の受信強度について、アンテナポートに紐付いた測定報告を、１つ以上のアンテナポート毎に行う。
【００６６】  また制御部１４３は、データ信号用の所定のチャネルに割り当てられた基地局２００の固有ビームのリファレンス信号の受信強度と、他のリファレンス信号の受信強度とから、ビーム間干渉推定値を算出する。制御部１４３は、算出したビーム間干渉推定値が所定の閾値を超えた場合に、そのビーム間干渉推定値を含んだ測定報告を基地局２００に送信してもよい。
【００６７】  例えば、制御部１４３は、基地局２００から全ての端末装置向けの複数のビームで送信されたリファレンス信号を測定し、基地局２００からの指示に基づいて各ビームのチャネルの状態を報告するチャネル状態報告を生成する。制御部１４３は、チャネル状態報告を生成する際に、チャネル推定用のリファレンス信号ごとの受信強度の情報を含めてもよい。また制御部１４３は、複数のビームでリファレンス信号をビームフォーミングする基地局２００から送信されたＣＳＩ−ＲＳ構成情報に関するＣＳＩ−ＲＳの受信電力または受信品質を含んだ測定を行う。
【００６８】  以上、本開示の一実施形態に係る端末装置１００の機能構成例について説明した。次に、本開示の一実施形態に係る基地局２００の機能構成例について説明する。
【００６９】  （１．２．３．基地局の構成例）  図１３は、本開示の実施形態に係る基地局２００の機能構成例を示すブロック図である。図１３に示したように、本開示の一実施形態に係る基地局２００は、アンテナ部２１０と、無線通信部２２０と、ネットワーク通信部２３０と、記憶部２４０と、処理部２５０と、を備える。
【００７０】  （アンテナ部２１０）  アンテナ部２１０は、無線通信部２２０により出力される信号を電波として空間に放射する。また、アンテナ部２１０は、空間の電波を信号に変換し、当該信号を無線通信部２２０へ出力する。
【００７１】  本実施形態では、アンテナ部２１０は、指向性アンテナを含む。例えば、当該指向性アンテナは、ＦＤ−ＭＩＭＯに使用可能な指向性アンテナである。
【００７２】  例えば図３に示した１６個のＴＸＲＵは、セル固有重み行列を通して１６個のサブアレーに１対１で接続される。垂直方向には２つのサブアレーとＴＸＲＵが配置されており、この垂直方向の２つのＴＸＲＵが使用する重み係数Ｗ１〜Ｗ４とＷ５〜Ｗ８は異なっており、異なる方向へのビームを生成する。水平方向（コラム方向）には８個のサブアレーとＴＸＲＵが配置されており、この水平方向の８個のＴＸＲＵは同じ重み行列を使用し、同じ方向へのビームを生成する。
【００７３】  （無線通信部２２０）  無線通信部２２０は、信号を送受信する。例えば、無線通信部２２０は、端末装置へのダウンリンク信号を送信し、端末装置からのアップリンク信号を受信する。
【００７４】  （ネットワーク通信部２３０）  ネットワーク通信部２３０は、情報を送受信する。例えば、ネットワーク通信部２３０は、他のノードへの情報を送信し、他のノードからの情報を受信する。例えば、上記他のノードは、コアネットワーク及び他の基地局を含む。一例として、上記他のノードは、制御エンティティ３００を含む。
【００７５】  （記憶部２４０）  記憶部２４０は、基地局２００の動作のためのプログラム及びデータを一時的にまたは恒久的に記憶する。
【００７６】  （処理部２５０）  処理部２５０は、基地局２００の様々な機能を提供する。処理部２５０は、情報取得部２５１及び制御部２５３を含む。なお、処理部２５０は、これらの構成要素以外の他の構成要素をさらに含み得る。即ち、処理部２５０は、これらの構成要素の動作以外の動作も行い得る。
【００７７】  （情報取得部２５１）  情報取得部２５１は、基地局２００の動作のための情報やプログラム、また、他のノードから受信した情報を取得する。情報取得部２５１は、基地局２００の動作のための情報やプログラムを記憶部２４０から取得しうる。
【００７８】  本実施形態では、情報取得部２５１は、リファレンス信号の受信強度について、１つ以上のアンテナポート毎に当該アンテナポートに紐付いた測定報告を、接続状態にある端末装置１００から取得する。
【００７９】  また本実施形態では、情報取得部２５１は、アンテナ部２１０から出力させたリファレンス信号に応じて各端末装置１００から送信された情報（チャネル状態報告）を取得する。リファレンス信号に応じて各端末装置１００から送信されたチャネル状態報告の内容については後述する。また情報取得部２５１は、基地局２００からビームフォーミングしたリファレンス信号の全てのアンテナポートのうち、一部のアンテナポートにおけるチャネルの状態を報告するチャネル状態報告を端末装置１００から取得する。
【００８０】  （制御部２５３）  制御部２５３は、基地局２００の動作を制御する。本実施形態では、制御部２５３は、例えば、少なくとも２つ以上の異なる第１の重み行列（セル固有重み行列）で生成する第１のビームでリファレンス信号をアンテナ部２１０から出力させる。また制御部２５３は、アンテナ部２１０から出力させたリファレンス信号に応じて各端末装置１００から送信され、情報取得部２５１が取得した情報に応じて、各端末装置固有の第２の重み行列（端末固有重み行列）を生成する。そして制御部２５３は、第１の重み行列及び第２の重み行列で生成する第２のビームで各端末装置１００に向けたデータをアンテナ部２１０から出力させる。
【００８１】  また制御部２５３は、ビームフォーミングしたリファレンス信号の全てのアンテナポートのうち、一部のアンテナポートを選択し、選択したその一部のアンテナポートにおけるチャネルの状態を報告するチャネル状態報告を端末装置１００から取得し、端末装置１００へのダウンリンクデータを、端末装置１００で選択されたアンテナポートを使用してアンテナ部２１０からビームフォーミングさせる処理を実行する。また制御部２５３は、自らが複数のビームでビームフォーミングしたＣＳＩ−ＲＳ構成情報と、隣接するセルが複数のビームでビームフォーミングするＣＳＩ−ＲＳ構成情報とを、ＲＲＣ＿ＣＯＮＮＥＣＴＥＤ状態にある端末装置１００に通知する。制御部２５３は、隣接するセルが複数のビームでビームフォーミングするＣＳＩ−ＲＳ構成情報を、例えばＸ２インタフェースを使用して取得する。
【００８２】  以上、本開示の一実施形態に係る基地局２００の機能構成例について説明した。続いて、本開示の一実施形態に係る制御エンティティ３００の機能構成例について説明する。
【００８３】  （１．２．４．制御エンティティの構成例）  図１４は、本開示の実施形態に係る制御エンティティ３００の機能構成例を示すブロック図である。図１４に示したように、本開示の一実施形態に係る制御エンティティ３００は、通信部３１０と、記憶部３２０と、処理部３３０と、を備える。
【００８４】  （通信部３１０）  通信部３１０は、情報を送受信する。例えば、通信部３１０は、他のノードへの情報を送信し、他のノードからの情報を受信する。例えば、上記他のノードは、コアネットワーク及び基地局を含む。一例として、上記他のノードは、基地局２００を含む。
【００８５】  （記憶部３２０）  記憶部３２０は、制御エンティティ３００の動作のためのプログラム及びデータを一時的にまたは恒久的に記憶する。
【００８６】  （処理部３３０）  処理部３３０は、制御エンティティ３００の様々な機能を提供する。処理部３３０は、情報取得部３３１及び制御部３３３を含む。なお、処理部３３０は、これらの構成要素以外の他の構成要素をさらに含み得る。即ち、処理部３３０は、これらの構成要素の動作以外の動作も行い得る。
【００８７】  （情報取得部３３１）  情報取得部３３１は、制御エンティティ３００の動作のための情報や、他のノードから受信した情報を取得する。情報取得部３３１は、制御エンティティ３００の動作のための情報やプログラムを記憶部３２０から取得しうる。
【００８８】  （制御部３３３）  制御部３３３は、制御エンティティ３００の動作を制御する。制御部３３３は、情報取得部３３１が取得した情報に基づいて動作しうる。
【００８９】  以上、本開示の一実施形態に係る制御エンティティ３００の機能構成例について説明した。続いて、本開示の一実施形態に係る通信システム１の動作例について説明する。
【００９０】  ［１．３．動作例］  本実施の形態では、基地局から端末へ干渉ビーム（測定対象）を通知するために３つの方法を提案する。（方法１）基地局がＦＤ−ＭＩＭＯ用ｔｒａｎｓｍｉｓｓｉｏｎ  ｍｏｄｅとＰＤＳＣＨに使用されるセル固有ビームのＣＳＩ−ＲＳのアンテナポートとを端末に通知する。セル固有ビームの割り当てに変更のあるたびｔｒａｎｓｍｉｓｓｉｏｎ  ｍｏｄｅの通知を行っても良い。（方法２）基地局がｍｅａｓｕｒｅｍｅｎｔ  ｃｏｎｆｉｇｕｒａｔｉｏｎで干渉ビームとして測定すべきＣＳＩ−ＲＳのアンテナポートを端末に通知する。（方法３）基地局がＣＳＩ−ＲＳ  ｃｏｎｆｉｇｕｒａｔｉｏｎで通知するＣＳＩ−ＲＳの全アンテナポートに関して、端末はアンテナポートごとの測定値を報告する。例えばｍｅａｓｕｒｅｍｅｎｔ  ｃｏｎｆｉｇｕｒａｔｉｏｎに特定のアンテナポートが通知されていない場合にこの動作が行われても良い。
【００９１】  （方法１）  最初に、基地局がｔｒａｎｓｍｉｓｓｉｏｎ  ｍｏｄｅの通知でＰＤＳＣＨに使用されるセル固有ビームのＣＳＩ−ＲＳのアンテナポートを端末に通知する例を説明する。ここでは、図１５に示したように、基地局２００のアンテナ部２１０が、８×８のアンテナ素子で構成されるアンテナアレーと８個のトランシーバユニット（ＴＸＲＵ）が、アナログの固定の移相器を間に置いて構成されており、このようにアンテナ部２１０が構成された基地局２００がＦＤ−ＭＩＭＯを提供する場合を例示する。
【００９２】  図１６は、図１５のように構成されたアンテナ部２１０から送信されるＣＳＩ−ＲＳビームの例を示す説明図である。図１６には、８個のＴＸＲＵから送信される８個のＣＳＩ−ＲＳビームのうち４個（ＴＸＲＵ  Ｂｅａｍ１〜４）のみが図示されている。残り４個のＣＳＩ−ＲＳビームは別の方角に向けられていても良い。また図１６には、ビル４００の中に位置する５台の端末装置１００ａ〜１００ｅも併せて示されている。
【００９３】  端末装置１００ａは、ＣＳＩ−ＲＳビーム１を受信でき、端末装置１００ｂはＣＳＩ−ＲＳビーム２を受信でき、端末装置１００ｃおよび端末装置１００ｄはＣＳＩ−ＲＳビーム２とＣＳＩ−ＲＳビーム３を受信でき、端末装置１００ｅはＣＳＩ−ＲＳビーム４を受信できる位置にいる。端末装置１００ａにとってはＣＳＩ−ＲＳビーム２が、端末装置１００ｂにとってはＣＳＩ−ＲＳビーム１が干渉になり得る。
【００９４】  （基地局から端末装置へのＣＳＩ  Ｒｅｆｅｒｅｎｃｅ  Ｓｉｇｎａｌ  Ｃｏｎｆｉｇｕｒａｔｉｏｎの通知）  基地局２００は、ＲＲＣ接続要求を出した端末に対し、ＲＲＣシグナリングでＣＳＩ  Ｒｅｆｅｒｅｎｃｅ  Ｓｉｇｎａｌ  Ｃｏｎｆｉｇｕｒａｔｉｏｎを通知する。ＣＳＩ  Ｒｅｆｅｒｅｎｃｅ  Ｓｉｇｎａｌ  Ｃｏｎｆｉｇｕｒａｔｉｏｎには、ＣＳＩ−ＲＳが送信されるアンテナポート、ＣＳＩ−ＲＳが挿入されるリソースエレメントの位置、ＣＳＩ−ＲＳが挿入されるサブフレームに関する情報などが含まれる。この方法１では、ｂｅａｍｆｏｒｍｅｄ  ＣＳＩ−ＲＳを構成するアンテナポートの数を８とする。
【００９５】  例えば、ＣＳＩ−ＲＳビーム１からＣＳＩ−ＲＳビーム８を送信するアンテナポートをそれぞれアンテナポート１５〜２２とする。そして、例えば、ＣＳＩ  ｒｅｆｅｒｅｎｃｅ  Ｓｉｇｎａｌ  ｃｏｎｆｉｇｕｒａｔｉｏｎ  ０を通知し、３ＧＰＰ  ＴＳ３６．２１１  ｔａｂｌｅ６．１０．５．２−１等に規定されるアンテナポート１５〜２２がＣＳＩ−ＲＳに使用するリソースエレメント位置（ｋ，ｌ）はそれぞれｅｖｅｎ−ｎｕｍｂｅｒｅｄ  ｓｌｏｔ上の（９，５），（９，５），（３，５），（３，５），（８，５），（８，５），（２，５），（２，５）となる。
【００９６】  （基地局から端末装置へのｍｅａｓｕｒｅｍｅｎｔ  ｃｏｎｆｉｇｕｒａｔｉｏｎの通知）  また基地局２００は、ＲＲＣ接続要求を出した端末に対し、ＲＲＣシグナリングでｍｅａｓｕｒｅｍｅｎｔ  ｃｏｎｆｉｇｕｒａｔｉｏｎを通知する。ｍｅａｓｕｒｅｍｅｎｔ  ｃｏｎｆｉｇｕｒａｔｉｏｎには、測定対象を指定するＭｅａｓｕｒｅｍｅｎｔ  Ｏｂｊｅｃｔｓ、Ｅｖｅｎｔ  ｄｒｉｖｅｎ（Ａ１−Ａ６）かｐｅｒｉｏｄｉｃ（タイマの終了）かのトリガリングメカニズムやＲＳＲＰ，ＲＳＲＱの指定を示すＲｅｐｏｒｔｉｎｇ  ｃｏｎｆｉｇｕｒａｔｉｏｎｓ、Ｍｅａｓｕｒｅｍｅｎｔ  Ｏｂｊｅｃｔｓとｒｅｐｏｒｔｉｎｇ  ｃｏｎｆｉｇｕｒａｔｉｏｎを対応づけるＭｅａｓｕｒｅｍｅｎｔ  Ｉｄｅｎｔｉｔｉｅｓなどが含まれる。
【００９７】  （基地局から端末装置へのｍｅａｓｕｒｅｍｅｎｔ  ｃｏｎｆｉｇｕｒａｔｉｏｎの通知）  基地局２００はＦＤ−ＭＩＭＯに対応する端末装置１００に対し、ｍｅａｓｕｒｅｍｅｎｔ  ｃｏｎｆｉｇｕｒａｔｉｏｎの測定対象としてｂｅａｍｆｏｒｍｅｄ  ＣＳＩ−ＲＳのＣＳＩ  ｒｅｆｅｒｅｎｃｅ  ｓｉｇｎａｌ  ｒｅｃｅｉｖｅｄ  ｐｏｗｅｒ（ＣＳＩ−ＲＳＲＰ）を指定する。基地局２００は、ＣＳＩ  Ｒｅｆｅｒｅｎｃｅ  Ｓｉｇｎａｌ  Ｃｏｎｆｉｇｕｒａｔｉｏｎに、ｂｅａｍｆｏｒｍｅｄ  ＣＳＩ−ＲＳに関する情報を含める。方法１では測定対象としてサービングセルのＲＳＲＰ，ＲＳＲＱの他、ｂｅａｍｆｏｒｍｅｄ  ＣＳＩ−ＲＳのＣＳＩ−ＲＳＲＰ、及び、後述するＣＳＩ−ＲＳＲＱが指定され、Ｅｖｅｎｔ  ｄｒｉｖｅｎのトリガリングメカニズムが指定される。
【００９８】  （端末の測定とレポート）  ＦＤ−ＭＩＭＯに対応する端末装置１００は、ＣＳＩ  Ｒｅｆｅｒｅｎｃｅ  Ｓｉｇｎａｌ  Ｃｏｎｆｉｇｕｒａｔｉｏｎからｂｅａｍｆｏｒｍｅｄ  ＣＳＩ−ＲＳのリソースの場所を判定し、定期的に受信強度を測定する。
【００９９】  例えば図１６の端末装置１００ａは、複数のアンテナポートのｂｅａｍｆｏｒｍｅｄ  ＣＳＩ−ＲＳのうち一部のＣＳＩ−ＲＳＲＰが、サービングセルのＣＲＳのＲＳＲＰより大きくなった場合に、このことをトリガ条件として測定レポートを基地局２００に通知する。基地局２００は、端末装置１００ａからの測定レポートにより、端末装置１００ａのＰＤＳＣＨにビームを割り当てることが適当であると判断できる。基地局２００は、この判断の後で、端末装置１００ａにチャネル状態報告を要求して、割り当てるべきビームのアンテナポートや重み行列を特定しても良い。
【０１００】  （ＦＤ−ＭＩＭＯに対応させた、端末装置の測定とレポート）  ＦＤ−ＭＩＭＯに対応する端末装置１００は、例えば測定レポートに、アンテナポートの情報と、アンテナポートごとの測定値と、を含めても良い。図１６の端末装置１００ａは、ＣＳＩ−ＲＳビーム１のＣＳＩ−ＲＳＲＰがサービングセルのＣＲＳのＲＳＲＰより大きくなった場合に、このことをトリガ条件として測定レポートを基地局２００に通知する。端末装置１００ａは、測定レポートに、ｂｅａｍｆｏｒｍｅｄ  ＣＳＩ−ＲＳの全ての（この方法１の例では８個の）アンテナポート各々のＣＳＩ−ＲＳＲＰを含める。基地局２００は、端末装置１００ａからの測定レポートにより、チャネル状態報告を要求しなくても端末装置１００ａのＰＤＳＣＨにビーム１を割り当てることが適当であると効率的に判断できる。
【０１０１】  （ＰＤＳＣＨに使用されるセル固有ビームのＣＳＩ−ＲＳのアンテナポートをＦＤ−ＭＩＭＯ用ｔｒａｎｓｍｉｓｓｉｏｎ  ｍｏｄｅと共に端末装置に通知する）  基地局２００は、ＲＲＣ接続された端末装置１００へ、ＲＲＣシグナリングでｔｒａｎｓｍｉｓｓｉｏｎ  ｍｏｄｅ（ＴＭ）を通知する。表３は、ＦＤ−ＭＩＭＯ用にＴＭ１１を追加したｔｒａｎｓｍｉｓｓｉｏｎ  ｍｏｄｅの例を示す表である。
【０１０２】
【表３】
2017086011.tif 000006
【０１０３】  基地局２００は、ＦＤ−ＭＩＭＯ対応でない端末装置（レガシー端末と称する）にビームフォーミングでＰＤＳＣＨを提供する場合、ビームフォーミング用のｔｒａｎｓｍｉｓｓｉｏｎ  ｍｏｄｅ（例えばＴＭ７，８，９など）を通知する。一方、基地局２００は、ＦＤ−ＭＩＭＯに対応する端末装置１００にビームフォーミングでＰＤＳＣＨを提供する場合、ＰＤＳＣＨに使用されるセル固有ビームのＣＳＩ−ＲＳのアンテナポートと共にＦＤ−ＭＩＭＯ用ｔｒａｎｓｍｉｓｓｉｏｎ  ｍｏｄｅ（例えばＴＭ１１）を、ｔｒａｎｓｍｉｓｓｉｏｎ  ｍｏｄｅの通知として端末装置１００に通知する。
【０１０４】  例えば、基地局２００は、図１６の端末装置１００ａにＣＳＩ−ＲＳのアンテナポートとしてアンテナポート１５を通知すると共にトランスミッションモードとしてＴＭ１１を通知し、ＣＳＩ−ＲＳビーム１を使用して端末装置１００ａのＰＤＳＣＨを送信する。端末装置１００ａは、基地局２００からのＣＳＩ−ＲＳアンテナポートの通知により、ＰＤＳＣＨに割り当てられたセル固有ビームと、干渉となり得るセル固有ビームのアンテナポートと、を知ることができ、干渉となり得るビームのｂｅａｍｆｏｒｍｅｄ  ＣＳＩ−ＲＳを測定することが可能となる。
【０１０５】  （端末装置によるビーム間干渉推定値の測定とレポート）  端末装置１００は、セル固有ビームのｂｅａｍｆｏｒｍｅｄ  ＣＳＩ−ＲＳの受信強度を、アンテナポートごとに、例えば定期的に測定して、ビーム間干渉推定値を計算する。この計算は例えば制御部１４３が実行する。そして端末装置１００は、計算したビーム間干渉推定値を基地局２００にレポートする。端末装置１００は、ＰＤＳＣＨに割り当てられたセル固有ビームと、干渉となり得るセル固有ビームのアンテナポートと、を基地局２００からの報告により知っているため、アンテナポートごとのＣＳＩ−ＲＳ受信強度を測定することにより、端末装置１００に割り当てられたリソースブロックが干渉となり得るセル固有ビームで使用された場合のビーム間干渉を推定することが可能となる。なお、端末装置１００は、コンポーネントキャリアの全帯域ではなく、サブバンドごとにＣＳＩ−ＲＳ受信強度を測定して基地局２００にレポートしても良い。これは、ミリ波では使用帯域が広いので、基地局２００はサブバンドごとに干渉を制御することでなるべく効率的にユーザ多重するためである。
【０１０６】  例えば、端末装置１００のＰＤＳＣＨに割り当てられたセル固有ビームのＣＳＩ−ＲＳＲＰと、ＣＳＩ−ＲＳＲＰ以外のセル固有ビームのＣＳＩ−ＲＳ電力の総和（ＣＳＩ−ＩＭ−ＲＳＲＰ）から、ビーム間干渉推定値としてＣＳＩ  ｒｅｆｅｒｅｎｃｅ  ｓｉｇｎａｌ  ｒｅｃｅｉｖｅｄ  Ｑｕａｌｉｔｙ（ＣＳＩ−ＲＳＲＱ）を数式２のように求める。
【０１０７】
【数２】
2017086011.tif 000007
【０１０８】  ここでＣＳＩ−ＲＳＲＰおよびＣＳＩ−ＩＭ−ＲＳＲＰは、帯域全体におけるＣＳＩ−ＲＳのリソースエレメントあたりの平均電力として定義される。アンテナポートによってＣＳＩ−ＲＳが送信されるリソースエレメントの位置が異なるが、各々のＣＳＩ−ＲＳが送信されるリソースエレメント上の電力として定義する。
【０１０９】  数式２では、ビーム間干渉量（ＣＳＩ−ＲＳＲＱ）の分母を、全セル固有ビームのＣＳＩ−ＲＳ電力の総和としたが、他の方法として、ビーム間干渉量（ＣＳＩ−ＲＳＲＱ）の分母を、帯域全体受信強度（Ｒｅｃｅｉｖｅｄ  Ｓｉｇｎａｌ  Ｓｔｒｅｎｇｔｈ  Ｉｎｄｉｃａｔｏｒ；ＲＳＳＩ）としても良く、または、帯域全体におけるリソースエレメントあたりの平均電力としても良い。またさらに他の方法として、ビーム間干渉量（ＣＳＩ−ＲＳＲＱ）の分母を、ＣＳＩ−ＲＳに割り当てられている全リソースエレメントあたりの平均電力の総和（ＣＳＩ−ＲＳ以外の雑音も含む）としても良い。
【０１１０】  トリガイベントは、例えば従来から規定されている以下の６つのイベントが使用される。Ｅｖｅｎｔ  Ａ１：Ｓｅｒｖｉｎｇ  ｃｅｌｌ  ｂｅｃｏｍｅｓ  ｂｅｔｔｅｒ  ｔｈａｎ  ａ  ｔｈｒｅｓｈｏｌｄＥｖｅｎｔ  Ａ２：Ｓｅｒｖｉｎｇ  ｃｅｌｌ  ｂｅｃｏｍｅｓ  ｗｏｒｓｅ  ｔｈａｎ  ａ  ｔｈｒｅｓｈｏｌｄＥｖｅｎｔ  Ａ３：Ｎｅｉｇｈｂｏｕｒ  ｃｅｌｌ  ｂｅｃｏｍｅｓ  ｂｅｔｔｅｒ  ｔｈａｎ  ｔｈｅ  ｓｅｒｖｉｎｇ  ｃｅｌｌ  ｂｙ  ａｎ  ｏｆｆｓｅｔＥｖｅｎｔ  Ａ４：Ｎｅｉｇｈｂｏｕｒ  ｃｅｌｌ  ｂｅｃｏｍｅｓ  ｂｅｔｔｅｒ  ｔｈａｎ  ａ  ｔｈｒｅｓｈｏｌｄＥｖｅｎｔ  Ａ５：Ｓｅｒｖｉｎｇ  ｃｅｌｌ  ｂｅｃｏｍｅｓ  ｗｏｒｓｅ  ｔｈａｎ  ｔｈｒｅｓｈｏｌｄ１  ｗｈｉｌｅ  ｎｅｉｇｈｂｏｒｉｎｇ  ｃｅｌｌｓ  ｂｅｃｏｍｅｓ  ｂｅｔｔｅｒ  ｔｈａｎ  ｔｈｒｅｓｈｏｌｄ  ２Ｅｖｅｎｔ  Ａ６：Ｎｅｉｇｈｂｏｕｒ  ｃｅｌｌ  ｂｅｃｏｍｅｓ  ｂｅｔｔｅｒ  ｔｈａｎ  ａ  ｓｅｃｏｎｄａｒｙ  ｃｅｌｌ  ｂｙ  ａｎ  ｏｆｆｓｅｔ
【０１１１】  端末装置１００は、測定対象を測定し、取得した測定結果が、例えば上記トリガイベントの条件を満たしたとき、基地局２００へ測定レポートを送信する。測定対象としては、従来からあるサービングセルのＣＲＳのＲＳＲＰおよびＲＳＲＱ、隣接セルのＣＲＳのＲＳＲＰおよびＲＳＲＱに加えＣＳＩ  Ｒｅｆｅｒｅｎｃｅ  Ｓｉｇｎａｌ  Ｃｏｎｆｉｇｕｒａｔｉｏｎに示されたＣＳＩ−ＲＳのＣＳＩ−ＲＳＲＰおよびＣＳＩ−ＲＳＲＱ、隣接セルが送信するＣＳＩ−ＲＳのＣＳＩ−ＩＭ−ＲＳＲＰがあり得る。この方法１では、サービングセルの測定対象をＣＳＩ−ＲＳのＣＳＩ−ＲＳＲＱとする、Ｅｖｅｎｔ  Ａ２を使用する測定レポートによる干渉制御の例について示す。
【０１１２】  Ｅｖｅｎｔ  Ａ２は、サービングセル測定値がスレッショルド値よりも小さくなった場合のトリガとなる。Ｅｎｔｅｒｉｎｇ  ｃｏｎｄｉｔｉｏｎとＬｅａｖｉｎｇ  ｃｏｎｄｉｔｉｏｎは以下のように規定されている。
【０１１３】  Ｉｎｅｑｕａｌｉｔｙ  Ａ２−１  （Ｅｎｔｅｒｉｎｇ  ｃｏｎｄｉｔｉｏｎ）  Ｍｓ＋Ｈｙｓ＜Ｔｈｒｅｓｈ
【０１１４】  Ｉｎｅｑｕａｌｉｔｙ  Ａ２−２  （Ｌｅａｖｉｎｇ  ｃｏｎｄｉｔｉｏｎ）  Ｍｓ−Ｈｙｓ＞Ｔｈｒｅｓｈ
【０１１５】  上記の２つの式において、Ｍｓはサービングセルの測定値を示す。方法１の場合、ＭｓはサービングセルのＣＳＩ−ＲＳのＣＳＩ−ＲＳＲＱを示す。
【０１１６】  また、Ｈｙｓはこのイベントのヒステリシスを示す。
【０１１７】  また、Ｔｈｒｅｓｈはこのイベントのスレッショルド値を示す。
【０１１８】  また、Ｍｓは、ＲＳＲＰをｄＢｍの単位で、ＲＳＲＱをｄＢの単位で示している。Ｈｙｓは、ｄＢの単位で示している。ＴｈｒｅｓｈはＭｓと同じ単位で示している。
【０１１９】  サービングセルのＣＳＩ−ＲＳのＣＳＩ−ＲＳＲＱが予め決められたスレッショルド値よりも小さくなった場合（すなわち、ビーム間干渉推定値が所定の閾値を超えた場合）、端末装置１００は、測定レポートを基地局２００に通知する。
【０１２０】  端末装置１００から基地局２００へ通知される測定レポートには、例えば、測定レポートＩＤ、サービングセルの測定値としてＣＳＩ−ＲＳのＣＳＩ−ＲＳＲＱ、ＣＳＩ−ＲＳ  ｃｏｎｆｉｇｕｒａｔｉｏｎ  ＩＤなどが含まれる。基地局２００は、端末装置１００から通知される測定レポートＩＤから、Ｅｖｅｎｔ  Ａ２によりトリガされた測定レポートであると判断できる。そして基地局２００は、サービングセルの測定値としてＣＳＩ−ＲＳのＣＳＩ−ＲＳＲＱが報告されていることから、ＣＳＩ−ＲＳ  ｃｏｎｆｉｇｕｒａｔｉｏｎ  ＩＤでＣＳＩ−ＲＳ構成情報を通知したビーム間の干渉を端末装置１００が検出したことを知り得る。
【０１２１】  端末装置１００は、測定レポートに、例えば端末装置１００が選択したアンテナポート番号を示す情報を含んでも良い。選択したアンテナポート番号を示す情報はアンテナポート番号の列挙でも良いし、アンテナポート分のビットマップで選択したアンテナポートを示しても良い。端末装置１００から、ＣＳＩ−ＲＳＲＱを劣化させている主な原因となったＣＳＩ−ＲＳのアンテナポートの報告を受けることにより、基地局２００は、干渉の生じ得るビームにおいて端末に割り当てたリソースブロックを他の端末に割り当てないようにすることでビーム間干渉の制御を可能にする。
【０１２２】  上述の例では、レポートタイミングとして、トリガ条件を満たしたときにレポートする例を示した。他の方法として、端末装置１００は、ｍｅａｓｕｒｅｍｅｎｔ  ｃｏｎｆｉｇｕｒａｔｉｏｎで指定されたタイミングで基地局２００に定期的にレポートしてもよい。また端末装置１００は、ビームの割り当てに変更があったときレポートしてもよく、ＦＤ−ＭＩＭＯ用のｔｒａｎｓｍｉｓｓｉｏｎ  ｍｏｄｅに遷移したときにレポートしてもよい。また端末装置１００は、基地局２００からＣＱＩレポート要求があったときにレポートしてもよい。
【０１２３】  上述したビーム間干渉推定値の測定は、帯域全体におけるＣＳＩ−ＲＳのリソースエレメントあたりの平均電力の測定である例を示した。ビーム間干渉推定値の測定の他の方法として、端末装置１００は、コンポーネントキャリア全帯域ではなく、いくつかのサブバンドごとに測定してレポートしても良い。このサブバンドは、ＣＳＩ−ＲＳチャネル状態報告に使用されるサブバンドと同じ区分でも良い。ミリ波では使用帯域が広いので、基地局２００は、サブバンドごとに干渉を制御し、なるべく効率的にユーザを多重することが可能となる。
【０１２４】  図１７は、端末装置１００及び基地局２００の動作例を示す流れ図である。
【０１２５】  基地局２００は、マスタ情報、システム情報を端末装置１００に報知すると共に、全てのサブフレームにおいて、物理レイヤセルＩＤ（ＰＣＩ）と送信アンテナ数で決まるリソースエレメントでセル固有基準信号（ＣＲＳ）をアンテナ部２１０から送信する（ステップＳ１０１）。また基地局２００は、ＴＸＲＵごとにセル固有重み行列を通し、異なるアンテナポートを使用してＣＳＩ−ＲＳを送信する（ステップＳ１０１）。基地局２００は、予め決められたサブフレームの、予め決められたリソースエレメントの位置でＣＳＩ−ＲＳを送信する。
【０１２６】  端末装置１００は、電源ＯＮされると（ステップＳ１０２）、優先度の高い周波数チャネルでセルサーチを行い（ステップＳ１０３）、第１同期信号（ＰＳＳ）および第２同期信号（ＳＳＳ）を検出し、物理レイヤセルＩＤ（ＰＣＩ）とフレームタイミングを検出する。端末装置１００は、マスタ情報ブロック（ＭＩＢ）、システム情報ブロック（ＳＩＢ）を復号し、既に検出したＰＣＩと、基地局２００の送信アンテナの数とから、セル固有基準信号（ＣＲＳ）の挿入されるリソースエレメントの位置を知り、その受信強度を測定することが可能になる。端末装置１００は、制御部１４３で周辺のＣＲＳの強度を測定し、最適なセルを選択する（ステップＳ１０４）。
【０１２７】  最適なセルを選択した端末装置１００は、基地局２００にＲＲＣ接続要求を送る（ステップＳ１０５）。ステップＳ１０５のＲＲＣ接続要求の送信は制御部１４３がアンテナ部１１０を通じて行う。ＲＲＣ接続要求を受信した基地局２００は、その端末装置１００に対してＲＲＣ接続許可を送る（ステップＳ１０６）。ステップＳ１０６のＲＲＣ接続許可の送信は制御部２５３がアンテナ部２１０を通じて行う。ＲＲＣ接続要求を送信した端末装置１００に、基地局２００がＲＲＣ接続許可を送ると、端末装置１００と基地局２００とはＲＲＣ接続状態（ＲＲＣ  Ｃｏｎｎｅｃｔｅｄ）となる。
【０１２８】  続いて基地局２００は、ＲＲＣ接続状態となった端末装置１００へ、ＲＲＣシグナリングで、ＣＳＩ−ＲＳ  Ｃｏｎｆｉｇｕｒａｔｉｏｎ（ＣＳＩ−ＲＳ構成情報）、ＣＱＩ−ＲｅｐｏｒｔＣｏｎｆｉｇ、及びｍｅａｓｕｒｅｍｅｎｔ  Ｃｏｎｆｉｇｕｒａｔｉｏｎを通知する（ステップＳ１０７）。ステップＳ１０７の通知は制御部２５３がアンテナ部２１０を通じて行う。
【０１２９】  基地局２００からの通知を受信した端末装置１００は、ビームフォーミングされたＣＳＩ−ＲＳを測定し（ステップＳ１０８）。ビームフォーミングされたＣＳＩ−ＲＳを検出する（ステップＳ１０９）。ステップＳ１０８の測定及びステップＳ１０９の検出は制御部１４３が行う。
【０１３０】  続いて端末装置１００は、ビームフォーミングされたＣＳＩ−ＲＳの測定レポート（ｍｅａｓｕｒｅｍｅｎｔ  ｒｅｐｏｒｔ）を基地局２００に送信する（ステップＳ１１０）。ステップＳ１１０の測定レポートの送信は制御部１４３がアンテナ部１１０を通じて行う。
【０１３１】  測定レポートを端末装置１００から受信した基地局２００は、端末装置１００へ向けてＣＳＩ  Ｒｅｑｕｅｓｔを通知する（ステップＳ１１１）。ステップＳ１１１の通知は制御部２５３がアンテナ部２１０を通じて行う。
【０１３２】  基地局２００からＣＳＩ  Ｒｅｑｕｅｓｔの通知を受けた端末装置１００は、基地局２００からの通知に応じて、ＣＳＩ−ＲＳに対するチャネル状態報告を基地局２００に送る（ステップＳ１１２）。ステップＳ１１２のチャネル状態報告の送信は制御部１４３がアンテナ部１１０を通じて行う。
【０１３３】  端末装置１００からのチャネル状態報告を受けた基地局２００は、ＰＤＳＣＨにセル固有ビームを割り当てて（ステップＳ１１３）、ＲＲＣシグナリングで、ｔｒａｎｓｍｉｓｓｉｏｎ  ｍｏｄｅ及びｍｅａｓｕｒｅｍｅｎｔ  Ｃｏｎｆｉｇｕｒａｔｉｏｎを通知する（ステップＳ１１４）。ステップＳ１１３の割り当ては制御部２５３が行う。またステップＳ１１４の通知は制御部２５３がアンテナ部２１０を通じて行う。
【０１３４】  その後、基地局２００と端末装置１００との間でユーザデータのやり取りを行って（ステップＳ１１５）、端末装置１００が上述した方法などでビーム間干渉を検出すると（ステップＳ１１６）、端末装置１００は、測定レポート（ｍｅａｓｕｒｅｍｅｎｔ  ｒｅｐｏｒｔ）を基地局２００に送信する（ステップＳ１１７）。ステップＳ１１７の測定レポートの送信は制御部１４３がアンテナ部１１０を通じて行う。
【０１３５】  基地局２００は、端末装置１００からビーム間干渉を検出したことの報告を受けると、スケジューリングによってビーム間干渉の制御を行う（ステップＳ１１８）。ビーム間干渉の制御は制御部２５３が行う。
【０１３６】  （方法２）  続いて２つ目の方法を説明する。この方法２は、基地局２００がｍｅａｓｕｒｅｍｅｎｔ  ｃｏｎｆｉｇｕｒａｔｉｏｎに干渉ビームとして測定すべきＣＳＩ−ＲＳのアンテナポートを指示する方法である。
【０１３７】  （基地局から端末装置へのＣＳＩ  Ｒｅｆｅｒｅｎｃｅ  Ｓｉｇｎａｌ  Ｃｏｎｆｉｇｕｒａｔｉｏｎの通知）  基地局２００は、ＲＲＣ接続要求を出した端末に対し、ＲＲＣシグナリングでＣＳＩ  Ｒｅｆｅｒｅｎｃｅ  Ｓｉｇｎａｌ  Ｃｏｎｆｉｇｕｒａｔｉｏｎを通知する。ＣＳＩ  Ｒｅｆｅｒｅｎｃｅ  Ｓｉｇｎａｌ  Ｃｏｎｆｉｇｕｒａｔｉｏｎには、ＣＳＩ−ＲＳが送信されるアンテナポート、ＣＳＩ−ＲＳが挿入されるリソースエレメントの位置、ＣＳＩ−ＲＳが挿入されるサブフレームに関する情報などが含まれる。この方法２では、ｂｅａｍｆｏｒｍｅｄ  ＣＳＩ−ＲＳを構成するアンテナポートの数を８とする。
【０１３８】  例えば、ＣＳＩ−ＲＳビーム１からＣＳＩ−ＲＳビーム８を送信するアンテナポートをそれぞれアンテナポート１５〜２２とする。そして、例えば、ＣＳＩ  ｒｅｆｅｒｅｎｃｅ  Ｓｉｇｎａｌ  ｃｏｎｆｉｇｕｒａｔｉｏｎ  ０を通知し、３ＧＰＰ  ＴＳ３６．２１１  ｔａｂｌｅ６．１０．５．２−１等に規定されるアンテナポート１５〜２２がＣＳＩ−ＲＳに使用するリソースエレメント位置（ｋ，ｌ）はそれぞれｅｖｅｎ−ｎｕｍｂｅｒｅｄ  ｓｌｏｔ上の（９，５），（９，５），（３，５），（３，５），（８，５），（８，５），（２，５），（２，５）となる。
【０１３９】  （基地局から端末装置へのｍｅａｓｕｒｅｍｅｎｔ  ｃｏｎｆｉｇｕｒａｔｉｏｎの通知）  また基地局２００は、ＲＲＣ接続要求を出した端末に対し、ＲＲＣシグナリングでｍｅａｓｕｒｅｍｅｎｔ  ｃｏｎｆｉｇｕｒａｔｉｏｎを通知する。ｍｅａｓｕｒｅｍｅｎｔ  ｃｏｎｆｉｇｕｒａｔｉｏｎには、測定対象を指定するＭｅａｓｕｒｅｍｅｎｔ  Ｏｂｊｅｃｔｓ、Ｅｖｅｎｔ  ｄｒｉｖｅｎ（Ａ１−Ａ６）かｐｅｒｉｏｄｉｃ（タイマの終了）かのトリガリングメカニズムやＲＳＲＰ，ＲＳＲＱの指定を示すＲｅｐｏｒｔｉｎｇ  ｃｏｎｆｉｇｕｒａｔｉｏｎｓ、Ｍｅａｓｕｒｅｍｅｎｔ  Ｏｂｊｅｃｔｓとｒｅｐｏｒｔｉｎｇ  ｃｏｎｆｉｇｕｒａｔｉｏｎを対応づけるＭｅａｓｕｒｅｍｅｎｔ  Ｉｄｅｎｔｉｔｉｅｓなどが含まれる。
【０１４０】  （ＣＳＩ−ＲＳのアンテナポート情報を含むｍｅａｓｕｒｅｍｅｎｔ  ｃｏｎｆｉｇｕｒａｔｉｏｎの通知）  基地局２００はＦＤ−ＭＩＭＯに対応する端末装置１００に対し、ｍｅａｓｕｒｅｍｅｎｔ  ｃｏｎｆｉｇｕｒａｔｉｏｎの測定対象としてｂｅａｍｆｏｒｍｅｄ  ＣＳＩ−ＲＳのＣＳＩ  ｒｅｆｅｒｅｎｃｅ  ｓｉｇｎａｌ  ｒｅｃｅｉｖｅｄ  ｐｏｗｅｒ（ＣＳＩ−ＲＳＲＰ）を指定する。基地局２００は、ＣＳＩ  Ｒｅｆｅｒｅｎｃｅ  Ｓｉｇｎａｌ  Ｃｏｎｆｉｇｕｒａｔｉｏｎに、ｂｅａｍｆｏｒｍｅｄ  ＣＳＩ−ＲＳに関する情報を含める。方法２では測定対象としてサービングセルのＲＳＲＰ，ＲＳＲＱの他、ｂｅａｍｆｏｒｍｅｄ  ＣＳＩ−ＲＳのＣＳＩ−ＲＳＲＰ、及び、後述するＣＳＩ−ＲＳＲＱが指定され、Ｅｖｅｎｔ  ｄｒｉｖｅｎのトリガリングメカニズムが指定される。
【０１４１】  基地局２００は、さらに、既にＰＤＳＣＨにセル固有ビームを割り当てているＦＤ−ＭＩＭＯに対応する端末装置１００に対し、ｍｅａｓｕｒｅｍｅｎｔ  ｃｏｎｆｉｇｕｒａｔｉｏｎのサービングセルの測定対象としてｂｅａｍｆｏｒｍｅｄ  ＣＳＩ−ＲＳのＣＳＩ−ＲＳＲＰと、そのアンテナポートの情報を通知する。方法２の場合は、例えば図１６の端末装置１００ａがＣＳＩ−ＲＳビーム１を検出して、基地局２００からＣＳＩ−ＲＳビーム１を割り当てられた後のサービングセルの測定対象にアンテナポート１５の情報を含めてｍｅａｓｕｒｅｍｅｎｔ  ｃｏｎｆｉｇｕｒａｔｉｏｎで通知する。基地局２００は、アンテナポートの情報としてアンテナポート番号を通知しても良いし、アンテナポート数分のビットマップで指定しても良い。基地局２００は、ＣＳＩ−ＲＳのアンテナポート情報を含むｍｅａｓｕｒｅｍｅｎｔ  ｃｏｎｆｉｇｕｒａｔｉｏｎの通知をすることによって、方法１で示したＦＤ−ＭＩＭＯ用ｔｒａｎｓｍｉｓｓｉｏｎ  ｍｏｄｅを追加する必要がない。
【０１４２】  （端末装置によるビーム間干渉推定値の測定とレポート）  端末装置１００は、セル固有ビームのｂｅａｍｆｏｒｍｅｄ  ＣＳＩ−ＲＳの受信強度を、アンテナポートごとに、例えば定期的に測定して、ビーム間干渉推定値を計算する。そして端末装置１００は、計算したビーム間干渉推定値を基地局２００にレポートする。端末装置１００は、ＰＤＳＣＨに割り当てられたセル固有ビームと、干渉となり得るセル固有ビームのアンテナポートと、を基地局２００からの報告により知っているため、アンテナポートごとのＣＳＩ−ＲＳ受信強度を測定することにより、端末装置１００に割り当てられたリソースブロックが干渉となり得るセル固有ビームで使用された場合のビーム間干渉を推定することが可能となる。なお、端末装置１００は、コンポーネントキャリアの全帯域ではなく、サブバンドごとにＣＳＩ−ＲＳ受信強度を測定して基地局２００にレポートしても良い。これは、ミリ波では使用帯域が広いので、基地局２００はサブバンドごとに干渉を制御することでなるべく効率的にユーザ多重するためである。
【０１４３】  例えば、端末装置１００のＰＤＳＣＨに割り当てられたセル固有ビームのＣＳＩ−ＲＳＲＰと、ＣＳＩ−ＲＳＲＰ以外のセル固有ビームのＣＳＩ−ＲＳ電力の総和（ＣＳＩ−ＩＭ−ＲＳＲＰ）から、ビーム間干渉推定値としてＣＳＩ  ｒｅｆｅｒｅｎｃｅ  ｓｉｇｎａｌ  ｒｅｃｅｉｖｅｄ  Ｑｕａｌｉｔｙ（ＣＳＩ−ＲＳＲＱ）を上記数式２のように求める。
【０１４４】  ここでＣＳＩ−ＲＳＲＰおよびＣＳＩ−ＩＭ−ＲＳＲＰは、帯域全体におけるＣＳＩ−ＲＳのリソースエレメントあたりの平均電力として定義される。アンテナポートによってＣＳＩ−ＲＳが送信されるリソースエレメントの位置が異なるが、各々のＣＳＩ−ＲＳが送信されるリソースエレメント上の電力として定義する。
【０１４５】  数式２では、ビーム間干渉量（ＣＳＩ−ＲＳＲＱ）の分母を、全セル固有ビームのＣＳＩ−ＲＳ電力の総和としたが、他の方法として帯域全体受信強度（ＲＳＳＩ）としても良く、または、帯域全体におけるリソースエレメントあたりの平均電力としても良い。またさらに他の方法として、ＣＳＩ−ＲＳに割り当てられている全リソースエレメントあたりの平均電力の総和（ＣＳＩ−ＲＳ以外の雑音も含む）としても良い。
【０１４６】  端末装置１００は、測定対象を測定し、取得した測定結果が、例えば方法１で示した上記トリガイベントの条件を満たしたとき、基地局２００へ測定レポートを送信する。測定対象としては、従来からあるサービングセルのＣＲＳのＲＳＲＰおよびＲＳＲＱ、隣接セルのＣＲＳのＲＳＲＰおよびＲＳＲＱに加えＣＳＩ  Ｒｅｆｅｒｅｎｃｅ  Ｓｉｇｎａｌ  Ｃｏｎｆｉｇｕｒａｔｉｏｎに示されたＣＳＩ−ＲＳのＣＳＩ−ＲＳＲＰおよびＣＳＩ−ＲＳＲＱ、隣接セルが送信するＣＳＩ−ＲＳのＣＳＩ−ＩＭ−ＲＳＲＰがあり得る。この方法２では、サービングセルの測定対象をＣＳＩ−ＲＳのＣＳＩ−ＲＳＲＱとする、Ｅｖｅｎｔ  Ａ２を使用する測定レポートによる干渉制御の例について示す。
【０１４７】  Ｅｖｅｎｔ  Ａ２は、サービングセル測定値がスレッショルド値よりも小さくなった場合のトリガとなる。サービングセルのＣＳＩ−ＲＳのＣＳＩ−ＲＳＲＱが予め決められたスレッショルド値よりも小さくなった場合、端末装置１００は、測定レポートを基地局２００に通知する。
【０１４８】  端末装置１００から基地局２００へ通知される測定レポートには、例えば、測定レポートＩＤ、サービングセルの測定値としてＣＳＩ−ＲＳのＣＳＩ−ＲＳＲＱ、ＣＳＩ−ＲＳ  ｃｏｎｆｉｇｕｒａｔｉｏｎ  ＩＤなどが含まれる。基地局２００は、端末装置１００から通知される測定レポートＩＤから、Ｅｖｅｎｔ  Ａ２によりトリガされた測定レポートであると判断できる。そして基地局２００は、サービングセルの測定値としてＣＳＩ−ＲＳのＣＳＩ−ＲＳＲＱが報告されていることから、ＣＳＩ−ＲＳ  ｃｏｎｆｉｇｕｒａｔｉｏｎ  ＩＤでＣＳＩ−ＲＳ構成情報を通知したビーム間の干渉を端末装置１００が検出したことを知り得る。
【０１４９】  端末装置１００は、測定レポートに、例えば端末装置１００が選択したアンテナポート番号を示す情報を含んでも良い。選択したアンテナポート番号を示す情報はアンテナポート番号の列挙でも良いし、アンテナポート分のビットマップで選択したアンテナポートを示しても良い。端末装置１００から、ＣＳＩ−ＲＳＲＱを劣化させている主な原因となったＣＳＩ−ＲＳのアンテナポートの報告を受けることにより、基地局２００は、干渉の生じ得るビームにおいて端末に割り当てたリソースブロックを他の端末に割り当てないようにすることでビーム間干渉の制御を可能にする。
【０１５０】  上述の例では、レポートタイミングとして、トリガ条件を満たしたときにレポートする例を示した。他の方法として、端末装置１００は、ｍｅａｓｕｒｅｍｅｎｔ  ｃｏｎｆｉｇｕｒａｔｉｏｎで指定されたタイミングで基地局２００に定期的にレポートしてもよい。また端末装置１００は、ビームの割り当てに変更があったときレポートしてもよく、ＦＤ−ＭＩＭＯ用のｔｒａｎｓｍｉｓｓｉｏｎ  ｍｏｄｅに遷移したときにレポートしてもよい。また端末装置１００は、基地局２００からＣＱＩレポート要求があったときにレポートしてもよい。
【０１５１】  上述したビーム間干渉推定値の測定は、帯域全体におけるＣＳＩ−ＲＳのリソースエレメントあたりの平均電力の測定である例を示した。ビーム間干渉推定値の測定の他の方法として、端末装置１００は、コンポーネントキャリア全帯域ではなく、いくつかのサブバンドごとに測定してレポートしても良い。このサブバンドは、ＣＳＩ−ＲＳチャネル状態報告に使用されるサブバンドと同じ区分でも良い。ミリ波では使用帯域が広いので、基地局２００は、サブバンドごとに干渉を制御し、なるべく効率的にユーザを多重することが可能となる。
【０１５２】  （方法３）  続いて３つ目の方法を説明する。方法３は、全てのアンテナポートについて、アンテナポートごとの測定値を報告する方法である。
【０１５３】  （基地局から端末装置へのＣＳＩ  Ｒｅｆｅｒｅｎｃｅ  Ｓｉｇｎａｌ  Ｃｏｎｆｉｇｕｒａｔｉｏｎの通知）  基地局２００は、ＲＲＣ接続要求を出した端末に対し、ＲＲＣシグナリングでＣＳＩ  Ｒｅｆｅｒｅｎｃｅ  Ｓｉｇｎａｌ  Ｃｏｎｆｉｇｕｒａｔｉｏｎを通知する。ＣＳＩ  Ｒｅｆｅｒｅｎｃｅ  Ｓｉｇｎａｌ  Ｃｏｎｆｉｇｕｒａｔｉｏｎには、ＣＳＩ−ＲＳが送信されるアンテナポート、ＣＳＩ−ＲＳが挿入されるリソースエレメントの位置、ＣＳＩ−ＲＳが挿入されるサブフレームに関する情報などが含まれる。この方法３では、ｂｅａｍｆｏｒｍｅｄ  ＣＳＩ−ＲＳを構成するアンテナポートの数を８とする。
【０１５４】  例えば、ＣＳＩ−ＲＳビーム１からＣＳＩ−ＲＳビーム８を送信するアンテナポートをそれぞれアンテナポート１５〜２２とする。そして、例えば、ＣＳＩ  ｒｅｆｅｒｅｎｃｅ  Ｓｉｇｎａｌ  ｃｏｎｆｉｇｕｒａｔｉｏｎ  ０を通知し、３ＧＰＰ  ＴＳ３６．２１１  ｔａｂｌｅ６．１０．５．２−１等に規定されるアンテナポート１５〜２２がＣＳＩ−ＲＳに使用するリソースエレメント位置（ｋ，ｌ）はそれぞれｅｖｅｎ−ｎｕｍｂｅｒｅｄ  ｓｌｏｔ上の（９，５），（９，５），（３，５），（３，５），（８，５），（８，５），（２，５），（２，５）となる。
【０１５５】  （基地局から端末装置へのｍｅａｓｕｒｅｍｅｎｔ  ｃｏｎｆｉｇｕｒａｔｉｏｎの通知）  また基地局２００は、ＲＲＣ接続要求を出した端末に対し、ＲＲＣシグナリングでｍｅａｓｕｒｅｍｅｎｔ  ｃｏｎｆｉｇｕｒａｔｉｏｎを通知する。ｍｅａｓｕｒｅｍｅｎｔ  ｃｏｎｆｉｇｕｒａｔｉｏｎには、測定対象を指定するＭｅａｓｕｒｅｍｅｎｔ  Ｏｂｊｅｃｔｓ、Ｅｖｅｎｔ  ｄｒｉｖｅｎ（Ａ１−Ａ６）かｐｅｒｉｏｄｉｃ（タイマの終了）かのトリガリングメカニズムやＲＳＲＰ，ＲＳＲＱの指定を示すＲｅｐｏｒｔｉｎｇ  ｃｏｎｆｉｇｕｒａｔｉｏｎｓ、Ｍｅａｓｕｒｅｍｅｎｔ  Ｏｂｊｅｃｔｓとｒｅｐｏｒｔｉｎｇ  ｃｏｎｆｉｇｕｒａｔｉｏｎを対応づけるＭｅａｓｕｒｅｍｅｎｔ  Ｉｄｅｎｔｉｔｉｅｓなどが含まれる。
【０１５６】  （ＣＳＩ−ＲＳのアンテナポート情報を含むｍｅａｓｕｒｅｍｅｎｔ  ｃｏｎｆｉｇｕｒａｔｉｏｎの通知）  基地局２００はＦＤ−ＭＩＭＯに対応する端末装置１００に対し、ｍｅａｓｕｒｅｍｅｎｔ  ｃｏｎｆｉｇｕｒａｔｉｏｎの測定対象としてｂｅａｍｆｏｒｍｅｄ  ＣＳＩ−ＲＳのＣＳＩ  ｒｅｆｅｒｅｎｃｅ  ｓｉｇｎａｌ  ｒｅｃｅｉｖｅｄ  ｐｏｗｅｒ（ＣＳＩ−ＲＳＲＰ）を指定する。基地局２００は、ＣＳＩ  Ｒｅｆｅｒｅｎｃｅ  Ｓｉｇｎａｌ  Ｃｏｎｆｉｇｕｒａｔｉｏｎに、ｂｅａｍｆｏｒｍｅｄ  ＣＳＩ−ＲＳに関する情報を含める。方法２では測定対象としてサービングセルのＲＳＲＰ，ＲＳＲＱの他、ｂｅａｍｆｏｒｍｅｄ  ＣＳＩ−ＲＳのＣＳＩ−ＲＳＲＰが指定され、Ｅｖｅｎｔ  ｄｒｉｖｅｎのトリガリングメカニズムが指定される。
【０１５７】  （端末装置によるビーム間干渉推定値の測定とレポート）  端末装置１００は、セル固有ビームのｂｅａｍｆｏｒｍｅｄ  ＣＳＩ−ＲＳの受信強度を、アンテナポートごとに、例えば定期的に測定して、ビーム間干渉推定値を計算する。そして端末装置１００は、計算したビーム間干渉推定値を基地局２００にレポートする。端末装置１００は、ＰＤＳＣＨに割り当てられたセル固有ビームと、干渉となり得るセル固有ビームのアンテナポートと、を通知されていない場合に、全てのアンテナポートごとのＣＳＩ−ＲＳ受信強度を測定して報告することにより、基地局２００で端末装置１００に割り当てられたリソースブロックが干渉となり得るセル固有ビームで使用された場合のビーム間干渉を推定することが可能となる。なお、端末装置１００は、コンポーネントキャリアの全帯域ではなく、サブバンドごとにＣＳＩ−ＲＳ受信強度を測定して基地局２００にレポートしても良い。これは、ミリ波では使用帯域が広いので、基地局２００はサブバンドごとに干渉を制御することでなるべく効率的にユーザ多重するためである。
【０１５８】  以上３つの方法により、端末装置１００は、複数のビームによる干渉の発生を推定することが可能となる。
【０１５９】  続いて、基地局間の干渉制御の例を説明する。ＦＤ−ＭＩＭＯではビルの高層階にビームを向けることが想定されている。図１０は、同じビルに複数のセルからＦＤ−ＭＩＭＯのビームが向けられている例を示す説明図である。図１０で示したように、同じビルに複数のセルから同じ周波数のＦＤ−ＭＩＭＯのビームが向けられている場合には、同じリソースを複数のビームで使用すると大きな干渉となる。そこでＦＤ−ＭＩＭＯ対応の端末装置１００が隣接セルから干渉になりそうな他のビームを検出した場合に、サービングセルに測定値を報告し、干渉を生じるビーム間で同じリソースを使用しないよう、セル間でスケジューリングの調整を行うようにする。
【０１６０】  （基地局から端末へのＣＳＩ  ｐｒｏｃｅｓｓ情報の通知）  基地局２００は、ＦＤ−ＭＩＭＯに対応する端末装置１００に対し、ＲＲＣシグナリングでＣＳＩ  ｐｒｏｃｅｓｓ情報を通知する。ＣＳＩ  ｐｒｏｃｅｓｓ情報は、基地局２００が送信するビームフォーミングされたＣＳＩ−ＲＳの構成情報（Ｎｏｎ−ｚｅｒｏ  Ｐｏｗｅｒ  ＣＳＩ−ＲＳ構成情報）、基地局がＣＳＩ−ＲＳの送信に使用しないリソースの構成情報（Ｚｅｒｏ  Ｐｏｗｅｒ  ＣＳＩ−ＲＳ構成情報）、及び、隣接セルが送信するビームフォーミングされたＣＳＩ−ＲＳの構成情報（ＣＳＩ−ＩＭ構成情報）で構成される。
【０１６１】  端末装置１００は、隣接セルのＣＳＩ−ＲＳ構成情報を含んだＣＳＩ  ｐｒｏｃｅｓｓ情報を受け取ると、このＣＳＩ  ｐｒｏｃｅｓｓに対する測定を例えば定期的に行い、トリガイベントの条件を満たした場合に基地局２００に報告する。ビームフォーミングされたＣＳＩ−ＲＳを送信する隣接セルが複数ある場合に、基地局２００は、複数のＣＳＩ  ｐｒｏｃｅｓｓ情報を端末装置１００に通知しても良いし、複数の隣接セルの情報をまとめて１つのＣＳＩ  ｐｒｏｃｅｓｓ情報を端末装置１００に通知しても良い。個々の端末装置１００によって位置やサービスを受けているビームが異なるため、端末装置１００ごとに通知されるＣＳＩ  ｐｒｏｃｅｓｓ情報は異なって良い。
【０１６２】  Ｎｏｎ−ｚｅｒｏ  Ｐｏｗｅｒ  ＣＳＩ−ＲＳ構成情報、Ｚｅｒｏ  Ｐｏｗｅｒ  ＣＳＩ−ＲＳ構成情報、ＣＳＩ−ＩＭ構成情報には、それぞれＡｎｔｅｎｎａ  ｐｏｒｔ  ｃｏｕｎｔ、ＣＳＩ  ｒｅｆｅｒｅｎｃｅ  Ｓｉｇｎａｌ  ｃｏｎｆｉｇｕｒａｔｉｏｎ、Ｓｕｂｆｒａｍｅ  ｃｏｎｆｉｇｕｒａｔｉｏｎ、ＣＳＩ−ＲＳ  ｃｏｎｆｉｇｕｒａｔｉｏｎ  ＩＤなどが含まれる。Ａｎｔｅｎｎａ  ｐｏｒｔ  ｃｏｕｎｔはＣＳＩ−ＲＳを構成するアンテナポートの数を示す。ＣＳＩ  ｒｅｆｅｒｅｎｃｅ  Ｓｉｇｎａｌ  ｃｏｎｆｉｇｕｒａｔｉｏｎは０〜３１の値で示され、３ＧＰＰ  ＴＳ３６．２１１  ｔａｂｌｅ６．１０．５．２−１等に規定されるＬｏｏｋ−ｕｐ  ｔａｂｌｅでＣＳＩ−ＲＳが使うリソースエレメント（ｋ，ｌ）とｔｉｍｅ  ｓｌｏｔとが決まる。Ｓｕｂｆｒａｍｅ  ｃｏｎｆｉｇｕｒａｔｉｏｎは０〜１５４の値で示され、３ＧＰＰ  ＴＳ３６．２１１  ｔａｂｌｅ６．１０．５．３−１に規定されるＬｏｏｋ−ｕｐ  ｔａｂｌｅでＣＳＩ−ＲＳ  ｐｅｒｉｏｄｉｃｉｔｙとＣＳＩ−ＲＳ  ｓｕｂｆｒａｍｅ  ｏｆｆｓｅｔを与える。ＣＳＩ−ＲＳ  ｃｏｎｆｉｇｕｒａｔｉｏｎ  ＩＤはＣＳＩ−ＲＳ構成情報の識別に使用される。
【０１６３】  （基地局から端末装置へのｍｅａｓｕｒｅｍｅｎｔ  ｃｏｎｆｉｇｕｒａｔｉｏｎの通知）  また基地局２００は、ＲＲＣ接続要求を出した端末に対し、ＲＲＣシグナリングでｍｅａｓｕｒｅｍｅｎｔ  ｃｏｎｆｉｇｕｒａｔｉｏｎを通知する。ｍｅａｓｕｒｅｍｅｎｔ  ｃｏｎｆｉｇｕｒａｔｉｏｎには、測定対象を指定するＭｅａｓｕｒｅｍｅｎｔ  Ｏｂｊｅｃｔｓ、Ｅｖｅｎｔ  ｄｒｉｖｅｎ（Ａ１−Ａ６）かｐｅｒｉｏｄｉｃ（タイマの終了）かのトリガリングメカニズムやＲＳＲＰ，ＲＳＲＱの指定を示すＲｅｐｏｒｔｉｎｇ  ｃｏｎｆｉｇｕｒａｔｉｏｎｓ、Ｍｅａｓｕｒｅｍｅｎｔ  Ｏｂｊｅｃｔｓとｒｅｐｏｒｔｉｎｇ  ｃｏｎｆｉｇｕｒａｔｉｏｎを対応づけるＭｅａｓｕｒｅｍｅｎｔ  Ｉｄｅｎｔｉｔｉｅｓなどが含まれる。
【０１６４】  （ＣＳＩ−ＲＳのアンテナポート情報を含むｍｅａｓｕｒｅｍｅｎｔ  ｃｏｎｆｉｇｕｒａｔｉｏｎの通知）  基地局２００はＦＤ−ＭＩＭＯに対応する端末装置１００に対し、ｍｅａｓｕｒｅｍｅｎｔ  ｃｏｎｆｉｇｕｒａｔｉｏｎの測定対象としてｂｅａｍｆｏｒｍｅｄ  ＣＳＩ−ＲＳのＣＳＩ  ｒｅｆｅｒｅｎｃｅ  ｓｉｇｎａｌ  ｒｅｃｅｉｖｅｄ  ｐｏｗｅｒ（ＣＳＩ−ＲＳＲＰ）を指定する。基地局２００は、ＣＳＩ  Ｒｅｆｅｒｅｎｃｅ  Ｓｉｇｎａｌ  Ｃｏｎｆｉｇｕｒａｔｉｏｎに、ｂｅａｍｆｏｒｍｅｄ  ＣＳＩ−ＲＳに関する情報を含める。ここでは、測定対象としてサービングセルのＲＳＲＰ，ＲＳＲＱの他、ｂｅａｍｆｏｒｍｅｄ  ＣＳＩ−ＲＳのＣＳＩ−ＲＳＲＰ、及び、後述するＣＳＩ−ＲＳＲＱが指定され、Ｅｖｅｎｔ  ｄｒｉｖｅｎのトリガリングメカニズムが指定される。
【０１６５】  （ＰＤＳＣＨに使用されるセル固有ビームのＣＳＩ−ＲＳのアンテナポートをＦＤ−ＭＩＭＯ用ｔｒａｎｓｍｉｓｓｉｏｎ  ｍｏｄｅと共に端末装置に通知する）  基地局２００は、ＲＲＣ接続された端末装置１００へ、ＲＲＣシグナリングでｔｒａｎｓｍｉｓｓｉｏｎ  ｍｏｄｅ（ＴＭ）を通知する。
【０１６６】  基地局２００は、ＦＤ−ＭＩＭＯ対応でない端末装置（レガシー端末と称する）にビームフォーミングでＰＤＳＣＨを提供する場合、ビームフォーミング用のｔｒａｎｓｍｉｓｓｉｏｎ  ｍｏｄｅ（例えば表３のＴＭ７，８，９など）を通知する。一方、基地局２００は、ＦＤ−ＭＩＭＯに対応する端末装置１００にビームフォーミングでＰＤＳＣＨを提供する場合、ＰＤＳＣＨに使用されるセル固有ビームのＣＳＩ−ＲＳのアンテナポートと共にＦＤ−ＭＩＭＯ用ｔｒａｎｓｍｉｓｓｉｏｎ  ｍｏｄｅ（例えば表３のＴＭ１１）を、ｔｒａｎｓｍｉｓｓｉｏｎ  ｍｏｄｅの通知として端末装置１００に通知する。
【０１６７】  例えば、基地局２００は、図１６の端末装置１００ａにＣＳＩ−ＲＳのアンテナポートとしてアンテナポート１５を通知すると共にトランスミッションモードとしてＴＭ１１を通知し、ＣＳＩ−ＲＳビーム１を使用して端末装置１００ａのＰＤＳＣＨを送信する。端末装置１００ａは、基地局２００からのＣＳＩ−ＲＳアンテナポートの通知により、ＰＤＳＣＨに割り当てられたセル固有ビームと、干渉となり得るセル固有ビームのアンテナポートと、を知ることができ、干渉となり得るビームのｂｅａｍｆｏｒｍｅｄ  ＣＳＩ−ＲＳを測定することが可能となる。
【０１６８】  （端末装置によるビーム間干渉推定値の測定とレポート）  端末装置１００は、セル固有ビームのｂｅａｍｆｏｒｍｅｄ  ＣＳＩ−ＲＳの受信強度を、アンテナポートごとに、例えば定期的に測定して、ビーム間干渉推定値を計算する。そして端末装置１００は、計算したビーム間干渉推定値を基地局２００にレポートする。端末装置１００は、ＰＤＳＣＨに割り当てられたセル固有ビームと、干渉となり得るセル固有ビームのアンテナポートと、を基地局２００からの報告により知っているため、アンテナポートごとのＣＳＩ−ＲＳ受信強度を測定することにより、端末装置１００に割り当てられたリソースブロックが干渉となり得るセル固有ビームで使用された場合のビーム間干渉を推定することが可能となる。なお、端末装置１００は、コンポーネントキャリアの全帯域ではなく、サブバンドごとにＣＳＩ−ＲＳ受信強度を測定して基地局２００にレポートしても良い。これは、ミリ波では使用帯域が広いので、基地局２００はサブバンドごとに干渉を制御することでなるべく効率的にユーザ多重するためである。
【０１６９】  例えば、端末装置１００のＰＤＳＣＨに割り当てられたセル固有ビームのＣＳＩ−ＲＳＲＰと、ＣＳＩ−ＲＳＲＰ以外のセル固有ビームのＣＳＩ−ＲＳ電力の総和（ＣＳＩ−ＩＭ−ＲＳＲＰ）から、ビーム間干渉推定値としてＣＳＩ  ｒｅｆｅｒｅｎｃｅ  ｓｉｇｎａｌ  ｒｅｃｅｉｖｅｄ  Ｑｕａｌｉｔｙ（ＣＳＩ−ＲＳＲＱ）を上記数式２のように求める。
【０１７０】  ＣＳＩ  ｐｒｏｃｅｓｓ情報に隣接セルが送信するｂｅａｍｆｏｒｍｅｄ  ＣＳＩ−ＲＳの構成情報（ＣＳＩ−ＩＭ構成情報）が含まれている場合には、ビーム間干渉量（ＣＳＩ−ＲＳＲＱ）の分母を、隣接セルが送信するｂｅａｍｆｏｒｍｅｄ  ＣＳＩ−ＲＳを含む、全てのセル固有ビームのＣＳＩ−ＲＳ電力の総和とする。なお、ビーム間干渉量（ＣＳＩ−ＲＳＲＱ）の分母を、帯域全体受信強度（ＲＳＳＩ）としても良く、または帯域全体におけるリソースエレメントあたりの平均電力としても良い。また、ビーム間干渉量（ＣＳＩ−ＲＳＲＱ）の分母を、ＣＳＩ−ＲＳに割り当てられている全リソースエレメントあたりの平均電力の総和（ＣＳＩ−ＲＳ以外の雑音も含む）としても良い。
【０１７１】  上述したビーム間干渉推定値の測定は、帯域全体におけるＣＳＩ−ＲＳのリソースエレメントあたりの平均電力の測定である例を示した。ビーム間干渉推定値の測定の他の方法として、端末装置１００は、コンポーネントキャリア全帯域ではなく、いくつかのサブバンドごとに測定してレポートしても良い。このサブバンドは、ＣＳＩ−ＲＳチャネル状態報告に使用されるサブバンドと同じ区分でも良い。ミリ波では使用帯域が広いので、基地局２００は、サブバンドごとに干渉を制御し、なるべく効率的にユーザを多重することが可能となる。
【０１７２】  端末装置１００は、測定対象を測定し、取得した測定結果が、例えば上記トリガイベントの条件を満たしたとき、基地局２００へ測定レポートを送信する。測定対象としては、従来からあるサービングセルのＣＲＳのＲＳＲＰおよびＲＳＲＱ、隣接セルのＣＲＳのＲＳＲＰおよびＲＳＲＱに加えＣＳＩ  Ｒｅｆｅｒｅｎｃｅ  Ｓｉｇｎａｌ  Ｃｏｎｆｉｇｕｒａｔｉｏｎに示されたＣＳＩ−ＲＳのＣＳＩ−ＲＳＲＰおよびＣＳＩ−ＲＳＲＱ、隣接セルが送信するＣＳＩ−ＲＳのＣＳＩ−ＩＭ−ＲＳＲＰがあり得る。ここでは、サービングセルの測定対象をＣＳＩ−ＲＳのＣＳＩ−ＲＳＲＱとする、Ｅｖｅｎｔ  Ａ２を使用する測定レポートによる干渉制御の例について示す。
【０１７３】  Ｅｖｅｎｔ  Ａ２は、サービングセル測定値がスレッショルド値よりも小さくなった場合のトリガとなる。サービングセルのＣＳＩ−ＲＳのＣＳＩ−ＲＳＲＱが予め決められたスレッショルド値よりも小さくなった場合、端末装置１００は、測定レポートを基地局２００に通知する。
【０１７４】  端末装置１００から基地局２００へ通知される測定レポートには、例えば、測定レポートＩＤ、サービングセルの測定値としてＣＳＩ−ＲＳのＣＳＩ−ＲＳＲＱ、ＣＳＩ−ＲＳ  ｃｏｎｆｉｇｕｒａｔｉｏｎ  ＩＤなどが含まれる。基地局２００は、端末装置１００から通知される測定レポートＩＤから、Ｅｖｅｎｔ  Ａ２によりトリガされた測定レポートであると判断できる。そして基地局２００は、サービングセルの測定値としてＣＳＩ−ＲＳのＣＳＩ−ＲＳＲＱが報告されていることから、ＣＳＩ−ＲＳ  ｃｏｎｆｉｇｕｒａｔｉｏｎ  ＩＤでＣＳＩ−ＲＳ構成情報を通知したビーム間の干渉を端末装置１００が検出したことを知り得る。
【０１７５】  端末装置１００は、測定レポートに、例えば端末装置１００が選択したアンテナポート番号を示す情報を含んでも良い。選択したアンテナポート番号を示す情報はアンテナポート番号の列挙でも良いし、アンテナポート分のビットマップで選択したアンテナポートを示しても良い。端末装置１００から、ＣＳＩ−ＲＳＲＱを劣化させている主な原因となったＣＳＩ−ＲＳのアンテナポートの報告を受けることにより、基地局２００は、適切に隣接セルのビームの干渉を制御できる。
【０１７６】  （基地局間の干渉制御処理）  このようにして、基地局２００は、端末装置１００に割り当てているダウンリンクビームと干渉を検出した同じ周波数の隣接セルのダウンリンクビーム間で同じリソースを仕様しないよう、隣接する基地局との間で、Ｘ２インタフェースを使用した干渉制御情報の通知によりスケジューリング調整を行い得る。スケジュール調整は、例えば制御部２５３が行いうる。干渉制御情報には、ビームを特定するビーム識別子（ビームＩＤ）やアンテナポート情報を含んでも良い。また干渉制御情報には、サブバンド情報を含んでも良い。ビーム間干渉を報告した端末がスケジュールされるサブバンドに限定して基地局間で干渉制御が行われることで、より効率的にリソースを使用できる。
【０１７７】  ＜２．応用例＞  本開示に係る技術は、様々な製品へ応用可能である。例えば、制御エンティティ３００は、タワーサーバ、ラックサーバ、又はブレードサーバなどのいずれかの種類のサーバとして実現されてもよい。また、制御エンティティ３００は、サーバに搭載される制御モジュール（例えば、１つのダイで構成される集積回路モジュール、又はブレードサーバのスロットに挿入されるカード若しくはブレード）であってもよい。
【０１７８】  また、例えば、基地局２００は、マクロｅＮＢ又はスモールｅＮＢなどのいずれかの種類のｅＮＢ（evolved  Node  B）として実現されてもよい。スモールｅＮＢは、ピコｅＮＢ、マイクロｅＮＢ又はホーム（フェムト）ｅＮＢなどの、マクロセルよりも小さいセルをカバーするｅＮＢであってよい。その代わりに、基地局２００は、ＮｏｄｅＢ又はＢＴＳ（Base  Transceiver  Station）などの他の種類の基地局として実現されてもよい。基地局２００は、無線通信を制御する本体（基地局装置ともいう）と、本体とは別の場所に配置される１つ以上のＲＲＨ（Remote  Radio  Head）とを含んでもよい。また、後述する様々な種類の端末が一時的に又は半永続的に基地局機能を実行することにより、基地局２００として動作してもよい。
【０１７９】  また、例えば、端末装置１００は、スマートフォン、タブレットＰＣ（Personal  Computer）、ノートＰＣ、携帯型ゲーム端末、携帯型／ドングル型のモバイルルータ若しくはデジタルカメラなどのモバイル端末、又はカーナビゲーション装置などの車載端末として実現されてもよい。また、端末装置１００は、Ｍ２Ｍ（Machine  To  Machine）通信を行う端末（ＭＴＣ（Machine  Type  Communication）端末ともいう）として実現されてもよい。さらに、端末装置１００は、これら端末に搭載される無線通信モジュール（例えば、１つのダイで構成される集積回路モジュール）であってもよい。
【０１８０】    ［２−１．制御エンティティに関する応用例］  図１８は、本開示に係る技術が適用され得るサーバ７００の概略的な構成の一例を示すブロック図である。サーバ７００は、プロセッサ７０１、メモリ７０２、ストレージ７０３、ネットワークインタフェース７０４及びバス７０６を備える。
【０１８１】  プロセッサ７０１は、例えばＣＰＵ（Central  Processing  Unit）又はＤＳＰ（Digital  Signal  Processor）であってよく、サーバ７００の各種機能を制御する。メモリ７０２は、ＲＡＭ（Random  Access  Memory）及びＲＯＭ（Read  Only  Memory）を含み、プロセッサ７０１により実行されるプログラム及びデータを記憶する。ストレージ７０３は、半導体メモリ又はハードディスクなどの記憶媒体を含み得る。
【０１８２】  ネットワークインタフェース７０４は、サーバ７００を有線通信ネットワーク７０５に接続するための有線通信インタフェースである。有線通信ネットワーク７０５は、ＥＰＣ（Evolved  Packet  Core）などのコアネットワークであってもよく、又はインターネットなどのＰＤＮ（Packet  Data  Network）であってもよい。
【０１８３】  バス７０６は、プロセッサ７０１、メモリ７０２、ストレージ７０３及びネットワークインタフェース７０４を互いに接続する。バス７０６は、速度の異なる２つ以上のバス（例えば、高速バス及び低速バス）を含んでもよい。
【０１８４】  図１８に示したサーバ７００において、図１４を参照して説明した処理部３３０に含まれる１つ以上の構成要素（情報取得部３３１及び／又は制御部３３３）は、プロセッサ７０１において実装されてもよい。一例として、プロセッサを上記１つ以上の構成要素として機能させるためのプログラム（換言すると、プロセッサに上記１つ以上の構成要素の動作を実行させるためのプログラム）がサーバ７００にインストールされ、プロセッサ７０１が当該プログラムを実行してもよい。別の例として、サーバ７００は、プロセッサ７０１及びメモリ７０２を含むモジュールを搭載し、当該モジュールにおいて上記１つ以上の構成要素が実装されてもよい。この場合に、上記モジュールは、プロセッサを上記１つ以上の構成要素として機能させるためのプログラムをメモリ７０２に記憶し、当該プログラムをプロセッサ７０１により実行してもよい。以上のように、上記１つ以上の構成要素を備える装置としてサーバ７００又は上記モジュールが提供されてもよく、プロセッサを上記１つ以上の構成要素として機能させるための上記プログラムが提供されてもよい。また、上記プログラムを記録した読み取り可能な記録媒体が提供されてもよい。
【０１８５】    ［２−２．基地局に関する応用例］      （第１の応用例）  図１９は、本開示に係る技術が適用され得るｅＮＢの概略的な構成の第１の例を示すブロック図である。ｅＮＢ８００は、１つ以上のアンテナ８１０、及び基地局装置８２０を有する。各アンテナ８１０及び基地局装置８２０は、ＲＦケーブルを介して互いに接続され得る。
【０１８６】  アンテナ８１０の各々は、単一の又は複数のアンテナ素子（例えば、ＭＩＭＯアンテナを構成する複数のアンテナ素子）を有し、基地局装置８２０による無線信号の送受信のために使用される。ｅＮＢ８００は、図１９に示したように複数のアンテナ８１０を有し、複数のアンテナ８１０は、例えばｅＮＢ８００が使用する複数の周波数帯域にそれぞれ対応してもよい。なお、図１９にはｅＮＢ８００が複数のアンテナ８１０を有する例を示したが、ｅＮＢ８００は単一のアンテナ８１０を有してもよい。
【０１８７】  基地局装置８２０は、コントローラ８２１、メモリ８２２、ネットワークインタフェース８２３及び無線通信インタフェース８２５を備える。
【０１８８】  コントローラ８２１は、例えばＣＰＵ又はＤＳＰであってよく、基地局装置８２０の上位レイヤの様々な機能を動作させる。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理（Radio  Resource  Control）、無線ベアラ制御（Radio  Bearer  Control）、移動性管理（Mobility  Management）、流入制御（Admission  Control）又はスケジューリング（Scheduling）などの制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、送信電力データ及びスケジューリングデータなど）を記憶する。
【０１８９】  ネットワークインタフェース８２３は、基地局装置８２０をコアネットワーク８２４に接続するための通信インタフェースである。コントローラ８２１は、ネットワークインタフェース８２３を介して、コアネットワークノード又は他のｅＮＢと通信してもよい。その場合に、ｅＮＢ８００と、コアネットワークノード又は他のｅＮＢとは、論理的なインタフェース（例えば、Ｓ１インタフェース又はＸ２インタフェース）により互いに接続されてもよい。ネットワークインタフェース８２３は、有線通信インタフェースであってもよく、又は無線バックホールのための無線通信インタフェースであってもよい。ネットワークインタフェース８２３が無線通信インタフェースである場合、ネットワークインタフェース８２３は、無線通信インタフェース８２５により使用される周波数帯域よりもより高い周波数帯域を無線通信に使用してもよい。
【０１９０】  無線通信インタフェース８２５は、ＬＴＥ（Long  Term  Evolution）又はＬＴＥ−Ａｄｖａｎｃｅｄなどのいずれかのセルラー通信方式をサポートし、アンテナ８１０を介して、ｅＮＢ８００のセル内に位置する端末に無線接続を提供する。無線通信インタフェース８２５は、典型的には、ベースバンド（ＢＢ）プロセッサ８２６及びＲＦ回路８２７などを含み得る。ＢＢプロセッサ８２６は、例えば、符号化／復号、変調／復調及び多重化／逆多重化などを行なってよく、各レイヤ（例えば、Ｌ１、ＭＡＣ（Medium  Access  Control）、ＲＬＣ（Radio  Link  Control）及びＰＤＣＰ（Packet  Data  Convergence  Protocol））の様々な信号処理を実行する。ＢＢプロセッサ８２６は、コントローラ８２１の代わりに、上述した論理的な機能の一部又は全部を有してもよい。ＢＢプロセッサ８２６は、通信制御プログラムを記憶するメモリ、当該プログラムを実行するプロセッサ及び関連する回路を含むモジュールであってもよく、ＢＢプロセッサ８２６の機能は、上記プログラムのアップデートにより変更可能であってもよい。また、上記モジュールは、基地局装置８２０のスロットに挿入されるカード若しくはブレードであってもよく、又は上記カード若しくは上記ブレードに搭載されるチップであってもよい。一方、ＲＦ回路８２７は、ミキサ、フィルタ及びアンプなどを含んでもよく、アンテナ８１０を介して無線信号を送受信する。
【０１９１】  無線通信インタフェース８２５は、図１９に示したように複数のＢＢプロセッサ８２６を含み、複数のＢＢプロセッサ８２６は、例えばｅＮＢ８００が使用する複数の周波数帯域にそれぞれ対応してもよい。また、無線通信インタフェース８２５は、図１９に示したように複数のＲＦ回路８２７を含み、複数のＲＦ回路８２７は、例えば複数のアンテナ素子にそれぞれ対応してもよい。なお、図１９には無線通信インタフェース８２５が複数のＢＢプロセッサ８２６及び複数のＲＦ回路８２７を含む例を示したが、無線通信インタフェース８２５は単一のＢＢプロセッサ８２６又は単一のＲＦ回路８２７を含んでもよい。
【０１９２】      （第２の応用例）  図２０は、本開示に係る技術が適用され得るｅＮＢの概略的な構成の第２の例を示すブロック図である。ｅＮＢ８３０は、１つ以上のアンテナ８４０、基地局装置８５０、及びＲＲＨ８６０を有する。各アンテナ８４０及びＲＲＨ８６０は、ＲＦケーブルを介して互いに接続され得る。また、基地局装置８５０及びＲＲＨ８６０は、光ファイバケーブルなどの高速回線で互いに接続され得る。
【０１９３】  アンテナ８４０の各々は、単一の又は複数のアンテナ素子（例えば、ＭＩＭＯアンテナを構成する複数のアンテナ素子）を有し、ＲＲＨ８６０による無線信号の送受信のために使用される。ｅＮＢ８３０は、図２０に示したように複数のアンテナ８４０を有し、複数のアンテナ８４０は、例えばｅＮＢ８３０が使用する複数の周波数帯域にそれぞれ対応してもよい。なお、図２０にはｅＮＢ８３０が複数のアンテナ８４０を有する例を示したが、ｅＮＢ８３０は単一のアンテナ８４０を有してもよい。
【０１９４】  基地局装置８５０は、コントローラ８５１、メモリ８５２、ネットワークインタフェース８５３、無線通信インタフェース８５５及び接続インタフェース８５７を備える。コントローラ８５１、メモリ８５２及びネットワークインタフェース８５３は、図１９を参照して説明したコントローラ８２１、メモリ８２２及びネットワークインタフェース８２３と同様のものである。
【０１９５】  無線通信インタフェース８５５は、ＬＴＥ又はＬＴＥ−Ａｄｖａｎｃｅｄなどのいずれかのセルラー通信方式をサポートし、ＲＲＨ８６０及びアンテナ８４０を介して、ＲＲＨ８６０に対応するセクタ内に位置する端末に無線接続を提供する。無線通信インタフェース８５５は、典型的には、ＢＢプロセッサ８５６などを含み得る。ＢＢプロセッサ８５６は、接続インタフェース８５７を介してＲＲＨ８６０のＲＦ回路８６４と接続されることを除き、図１９を参照して説明したＢＢプロセッサ８２６と同様のものである。無線通信インタフェース８５５は、図２０に示したように複数のＢＢプロセッサ８５６を含み、複数のＢＢプロセッサ８５６は、例えばｅＮＢ８３０が使用する複数の周波数帯域にそれぞれ対応してもよい。なお、図２０には無線通信インタフェース８５５が複数のＢＢプロセッサ８５６を含む例を示したが、無線通信インタフェース８５５は単一のＢＢプロセッサ８５６を含んでもよい。
【０１９６】  接続インタフェース８５７は、基地局装置８５０（無線通信インタフェース８５５）をＲＲＨ８６０と接続するためのインタフェースである。接続インタフェース８５７は、基地局装置８５０（無線通信インタフェース８５５）とＲＲＨ８６０とを接続する上記高速回線での通信のための通信モジュールであってもよい。
【０１９７】  また、ＲＲＨ８６０は、接続インタフェース８６１及び無線通信インタフェース８６３を備える。
【０１９８】  接続インタフェース８６１は、ＲＲＨ８６０（無線通信インタフェース８６３）を基地局装置８５０と接続するためのインタフェースである。接続インタフェース８６１は、上記高速回線での通信のための通信モジュールであってもよい。
【０１９９】  無線通信インタフェース８６３は、アンテナ８４０を介して無線信号を送受信する。無線通信インタフェース８６３は、典型的には、ＲＦ回路８６４などを含み得る。ＲＦ回路８６４は、ミキサ、フィルタ及びアンプなどを含んでもよく、アンテナ８４０を介して無線信号を送受信する。無線通信インタフェース８６３は、図２０に示したように複数のＲＦ回路８６４を含み、複数のＲＦ回路８６４は、例えば複数のアンテナ素子にそれぞれ対応してもよい。なお、図２０には無線通信インタフェース８６３が複数のＲＦ回路８６４を含む例を示したが、無線通信インタフェース８６３は単一のＲＦ回路８６４を含んでもよい。
【０２００】  図１９及び図２０に示したｅＮＢ８００及びｅＮＢ８３０において、図１３を参照して説明した処理部２５０に含まれる１つ以上の構成要素（情報取得部２５１及び／又は制御部２５３）は、無線通信インタフェース８５５及び／又は無線通信インタフェース８６３において実装されてもよい。あるいは、これらの構成要素の少なくとも一部は、コントローラ８５１において実装されてもよい。一例として、ｅＮＢ８３０は、無線通信インタフェース８５５の一部（例えば、ＢＢプロセッサ８５６）若しくは全部、及び／又コントローラ８５１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがｅＮＢ８３０にインストールされ、無線通信インタフェース８５５（例えば、ＢＢプロセッサ８５６）及び／又コントローラ８５１が当該プログラムを実行してもよい。以上のように、上記１つ以上の構成要素を備える装置としてｅＮＢ８３０、基地局装置８５０又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２０１】  また、図２０に示したｅＮＢ８３０において、例えば、図１１を参照して説明した無線通信部２２０は、無線通信インタフェース８６３（例えば、ＲＦ回路８６４）において実装されてもよい。また、アンテナ部２１０は、アンテナ８４０において実装されてもよい。また、ネットワーク通信部２３０は、コントローラ８５１及び／又はネットワークインタフェース８５３において実装されてもよい。
【０２０２】    ［２−３．端末装置に関する応用例］      （第１の応用例）  図２１は、本開示に係る技術が適用され得るスマートフォン９００の概略的な構成の一例を示すブロック図である。スマートフォン９００は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２、１つ以上のアンテナスイッチ９１５、１つ以上のアンテナ９１６、バス９１７、バッテリー９１８及び補助コントローラ９１９を備える。
【０２０３】  プロセッサ９０１は、例えばＣＰＵ又はＳｏＣ（System  on  Chip）であってよく、スマートフォン９００のアプリケーションレイヤ及びその他のレイヤの機能を制御する。メモリ９０２は、ＲＡＭ及びＲＯＭを含み、プロセッサ９０１により実行されるプログラム及びデータを記憶する。ストレージ９０３は、半導体メモリ又はハードディスクなどの記憶媒体を含み得る。外部接続インタフェース９０４は、メモリーカード又はＵＳＢ（Universal  Serial  Bus）デバイスなどの外付けデバイスをスマートフォン９００へ接続するためのインタフェースである。
【０２０４】  カメラ９０６は、例えば、ＣＣＤ（Charge  Coupled  Device）又はＣＭＯＳ（Complementary  Metal  Oxide  Semiconductor）などの撮像素子を有し、撮像画像を生成する。センサ９０７は、例えば、測位センサ、ジャイロセンサ、地磁気センサ及び加速度センサなどのセンサ群を含み得る。マイクロフォン９０８は、スマートフォン９００へ入力される音声を音声信号へ変換する。入力デバイス９０９は、例えば、表示デバイス９１０の画面上へのタッチを検出するタッチセンサ、キーパッド、キーボード、ボタン又はスイッチなどを含み、ユーザからの操作又は情報入力を受け付ける。表示デバイス９１０は、液晶ディスプレイ（ＬＣＤ）又は有機発光ダイオード（ＯＬＥＤ）ディスプレイなどの画面を有し、スマートフォン９００の出力画像を表示する。スピーカ９１１は、スマートフォン９００から出力される音声信号を音声に変換する。
【０２０５】  無線通信インタフェース９１２は、ＬＴＥ又はＬＴＥ−Ａｄｖａｎｃｅｄなどのいずれかのセルラー通信方式をサポートし、無線通信を実行する。無線通信インタフェース９１２は、典型的には、ＢＢプロセッサ９１３及びＲＦ回路９１４などを含み得る。ＢＢプロセッサ９１３は、例えば、符号化／復号、変調／復調及び多重化／逆多重化などを行なってよく、無線通信のための様々な信号処理を実行する。一方、ＲＦ回路９１４は、ミキサ、フィルタ及びアンプなどを含んでもよく、アンテナ９１６を介して無線信号を送受信する。無線通信インタフェース９１２は、ＢＢプロセッサ９１３及びＲＦ回路９１４を集積したワンチップのモジュールであってもよい。無線通信インタフェース９１２は、図２１に示したように複数のＢＢプロセッサ９１３及び複数のＲＦ回路９１４を含んでもよい。なお、図２１には無線通信インタフェース９１２が複数のＢＢプロセッサ９１３及び複数のＲＦ回路９１４を含む例を示したが、無線通信インタフェース９１２は単一のＢＢプロセッサ９１３又は単一のＲＦ回路９１４を含んでもよい。
【０２０６】  さらに、無線通信インタフェース９１２は、セルラー通信方式に加えて、近距離無線通信方式、近接無線通信方式又は無線ＬＡＮ（Local  Area  Network）方式などの他の種類の無線通信方式をサポートしてもよく、その場合に、無線通信方式ごとのＢＢプロセッサ９１３及びＲＦ回路９１４を含んでもよい。
【０２０７】  アンテナスイッチ９１５の各々は、無線通信インタフェース９１２に含まれる複数の回路（例えば、異なる無線通信方式のための回路）の間でアンテナ９１６の接続先を切り替える。
【０２０８】  アンテナ９１６の各々は、単一の又は複数のアンテナ素子（例えば、ＭＩＭＯアンテナを構成する複数のアンテナ素子）を有し、無線通信インタフェース９１２による無線信号の送受信のために使用される。スマートフォン９００は、図２１に示したように複数のアンテナ９１６を有してもよい。なお、図２１にはスマートフォン９００が複数のアンテナ９１６を有する例を示したが、スマートフォン９００は単一のアンテナ９１６を有してもよい。
【０２０９】  さらに、スマートフォン９００は、無線通信方式ごとにアンテナ９１６を備えてもよい。その場合に、アンテナスイッチ９１５は、スマートフォン９００の構成から省略されてもよい。
【０２１０】  バス９１７は、プロセッサ９０１、メモリ９０２、ストレージ９０３、外部接続インタフェース９０４、カメラ９０６、センサ９０７、マイクロフォン９０８、入力デバイス９０９、表示デバイス９１０、スピーカ９１１、無線通信インタフェース９１２及び補助コントローラ９１９を互いに接続する。バッテリー９１８は、図中に破線で部分的に示した給電ラインを介して、図２１に示したスマートフォン９００の各ブロックへ電力を供給する。補助コントローラ９１９は、例えば、スリープモードにおいて、スマートフォン９００の必要最低限の機能を動作させる。
【０２１１】  図２１に示したスマートフォン９００において、図１２を参照して説明した処理部１４０に含まれる１つ以上の構成要素（情報取得部１４１及び／又は制御部１４３）は、無線通信インタフェース９１２において実装されてもよい。あるいは、これらの構成要素の少なくとも一部は、プロセッサ９０１又は補助コントローラ９１９において実装されてもよい。一例として、スマートフォン９００は、無線通信インタフェース９１２の一部（例えば、ＢＢプロセッサ９１３）若しくは全部、プロセッサ９０１、及び／又は補助コントローラ９１９を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがスマートフォン９００にインストールされ、無線通信インタフェース９１２（例えば、ＢＢプロセッサ９１３）、プロセッサ９０１、及び／又は補助コントローラ９１９が当該プログラムを実行してもよい。以上のように、上記１つ以上の構成要素を備える装置としてスマートフォン９００又は上記モジュールが提供されてもよく、プロセッサを上記１つ以上の構成要素として機能させるためのプログラムが提供されてもよい。また、上記プログラムを記録した読み取り可能な記録媒体が提供されてもよい。
【０２１２】  また、図２１に示したスマートフォン９００において、例えば、図１０を参照して説明した無線通信部１２０は、無線通信インタフェース９１２（例えば、ＲＦ回路９１４）において実装されてもよい。また、アンテナ部１１０は、アンテナ９１６において実装されてもよい。
【０２１３】      （第２の応用例）  図２２は、本開示に係る技術が適用され得るカーナビゲーション装置９２０の概略的な構成の一例を示すブロック図である。カーナビゲーション装置９２０は、プロセッサ９２１、メモリ９２２、ＧＰＳ（Global  Positioning  System）モジュール９２４、センサ９２５、データインタフェース９２６、コンテンツプレーヤ９２７、記憶媒体インタフェース９２８、入力デバイス９２９、表示デバイス９３０、スピーカ９３１、無線通信インタフェース９３３、１つ以上のアンテナスイッチ９３６、１つ以上のアンテナ９３７及びバッテリー９３８を備える。
【０２１４】  プロセッサ９２１は、例えばＣＰＵ又はＳｏＣであってよく、カーナビゲーション装置９２０のナビゲーション機能及びその他の機能を制御する。メモリ９２２は、ＲＡＭ及びＲＯＭを含み、プロセッサ９２１により実行されるプログラム及びデータを記憶する。
【０２１５】  ＧＰＳモジュール９２４は、ＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサなどのセンサ群を含み得る。データインタフェース９２６は、例えば、図示しない端子を介して車載ネットワーク９４１に接続され、車速データなどの車両側で生成されるデータを取得する。
【０２１６】  コンテンツプレーヤ９２７は、記憶媒体インタフェース９２８に挿入される記憶媒体（例えば、ＣＤ又はＤＶＤ）に記憶されているコンテンツを再生する。入力デバイス９２９は、例えば、表示デバイス９３０の画面上へのタッチを検出するタッチセンサ、ボタン又はスイッチなどを含み、ユーザからの操作又は情報入力を受け付ける。表示デバイス９３０は、ＬＣＤ又はＯＬＥＤディスプレイなどの画面を有し、ナビゲーション機能又は再生されるコンテンツの画像を表示する。スピーカ９３１は、ナビゲーション機能又は再生されるコンテンツの音声を出力する。
【０２１７】  無線通信インタフェース９３３は、ＬＴＥ又はＬＴＥ−Ａｄｖａｎｃｅｄなどのいずれかのセルラー通信方式をサポートし、無線通信を実行する。無線通信インタフェース９３３は、典型的には、ＢＢプロセッサ９３４及びＲＦ回路９３５などを含み得る。ＢＢプロセッサ９３４は、例えば、符号化／復号、変調／復調及び多重化／逆多重化などを行なってよく、無線通信のための様々な信号処理を実行する。一方、ＲＦ回路９３５は、ミキサ、フィルタ及びアンプなどを含んでもよく、アンテナ９３７を介して無線信号を送受信する。無線通信インタフェース９３３は、ＢＢプロセッサ９３４及びＲＦ回路９３５を集積したワンチップのモジュールであってもよい。無線通信インタフェース９３３は、図２２に示したように複数のＢＢプロセッサ９３４及び複数のＲＦ回路９３５を含んでもよい。なお、図２２には無線通信インタフェース９３３が複数のＢＢプロセッサ９３４及び複数のＲＦ回路９３５を含む例を示したが、無線通信インタフェース９３３は単一のＢＢプロセッサ９３４又は単一のＲＦ回路９３５を含んでもよい。
【０２１８】  さらに、無線通信インタフェース９３３は、セルラー通信方式に加えて、近距離無線通信方式、近接無線通信方式又は無線ＬＡＮ方式などの他の種類の無線通信方式をサポートしてもよく、その場合に、無線通信方式ごとのＢＢプロセッサ９３４及びＲＦ回路９３５を含んでもよい。
【０２１９】  アンテナスイッチ９３６の各々は、無線通信インタフェース９３３に含まれる複数の回路（例えば、異なる無線通信方式のための回路）の間でアンテナ９３７の接続先を切り替える。
【０２２０】  アンテナ９３７の各々は、単一の又は複数のアンテナ素子（例えば、ＭＩＭＯアンテナを構成する複数のアンテナ素子）を有し、無線通信インタフェース９３３による無線信号の送受信のために使用される。カーナビゲーション装置９２０は、図２２に示したように複数のアンテナ９３７を有してもよい。なお、図２２はカーナビゲーション装置９２０が複数のアンテナ９３７を有する例を示したが、カーナビゲーション装置９２０は単一のアンテナ９３７を有してもよい。
【０２２１】  さらに、カーナビゲーション装置９２０は、無線通信方式ごとにアンテナ９３７を備えてもよい。その場合に、アンテナスイッチ９３６は、カーナビゲーション装置９２０の構成から省略されてもよい。
【０２２２】  バッテリー９３８は、図中に破線で部分的に示した給電ラインを介して、図２２に示したカーナビゲーション装置９２０の各ブロックへ電力を供給する。また、バッテリー９３８は、車両側から給電される電力を蓄積する。
【０２２３】  図２２に示したカーナビゲーション装置９２０において、図１２を参照して説明した処理部１４０に含まれる１つ以上の構成要素（情報取得部１４１及び／又は制御部１４３）は、無線通信インタフェース９３３において実装されてもよい。あるいは、これらの構成要素の少なくとも一部は、プロセッサ９２１において実装されてもよい。一例として、カーナビゲーション装置９２０は、無線通信インタフェース９３３の一部（例えば、ＢＢプロセッサ９３４）若しくは全部及び／又はプロセッサ９２１を含むモジュールを搭載し、当該モジュールにおいて上記１つ以上の構成要素が実装されてもよい。この場合に、上記モジュールは、プロセッサを上記１つ以上の構成要素として機能させるためのプログラム（換言すると、プロセッサに上記１つ以上の構成要素の動作を実行させるためのプログラム）を記憶し、当該プログラムを実行してもよい。別の例として、プロセッサを上記１つ以上の構成要素として機能させるためのプログラムがカーナビゲーション装置９２０にインストールされ、無線通信インタフェース９３３（例えば、ＢＢプロセッサ９３４）及び／又はプロセッサ９２１が当該プログラムを実行してもよい。以上のように、上記１つ以上の構成要素を備える装置としてカーナビゲーション装置９２０又は上記モジュールが提供されてもよく、プロセッサ上記１つ以上の構成要素として機能させるためのプログラムが提供されてもよい。また、上記プログラムを記録した読み取り可能な記録媒体が提供されてもよい。
【０２２４】  また、図２２に示したカーナビゲーション装置９２０において、例えば、図１０を参照して説明した無線通信部１２０は、無線通信インタフェース９３３（例えば、ＲＦ回路９３５）において実装されてもよい。また、アンテナ部１１０は、アンテナ９３７において実装されてもよい。
【０２２５】  また、本開示に係る技術は、上述したカーナビゲーション装置９２０の１つ以上のブロックと、車載ネットワーク９４１と、車両側モジュール９４２とを含む車載システム（又は車両）９４０として実現されてもよい。即ち、処理部１４０に含まれる上記１つ以上の構成要素を備える装置として車載システム（又は車両）９４０が提供されてもよい。車両側モジュール９４２は、車速、エンジン回転数又は故障情報などの車両側データを生成し、生成したデータを車載ネットワーク９４１へ出力する。
【０２２６】  ＜３．まとめ＞  以上説明したように本開示の実施の形態によれば、ＦＤ−ＭＩＭＯを行う基地局２００および基地局２００の間で、ビーム間の干渉を軽減し、ユーザ多重数を最適化することが可能となる。
【０２２７】  本開示の実施の形態によれば、基地局２００が端末装置１００に割り当てるセル固有ビームのアンテナポートを端末装置１００に通知する。端末装置１００は、割り当てられたセル固有ビームと干渉となり得るセル固有ビームとを判別できるようになり、ビーム間干渉を推定できるようになる。そして端末装置１００は、ビームフォーミングされたＣＳＩ−ＲＳを測定することでビーム間干渉を推定できる。
【０２２８】  本開示の実施の形態によれば、基地局２００の間でビーム識別子を含む干渉制御情報を通知することで、基地局２００の間のビーム間干渉を抑制できる。基地局２００の間でサブバンド情報を含む干渉制御情報を通知することで、基地局２００は、ビーム間干渉を抑制しながら効率的にスケジューリングできる。
【０２２９】  以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２３０】  例えば、制御エンティティと基地局とが別々の装置である例を説明したが、本開示は係る例に限定されない。例えば、基地局の中に制御エンティティが実装されてもよい。
【０２３１】  また、例えば、本開示の実施形態では、通信システムがＬＴＥ又はＬＴＥ−Ａに準拠する例を説明したが、本開示は係る例に限定されない。例えば、通信システムは、別の通信規格に準拠したシステムであってもよい。
【０２３２】  また、本開示の実施の形態のＭＩＭＯ通信は、マルチユーザＭＩＭＯであってもよく、シングルユーザＭＩＭＯであってもよい。
【０２３３】  また、本明細書の処理における処理ステップは、必ずしもフローチャート又はシーケンス図に記載された順序に沿って時系列に実行されなくてよい。例えば、処理における処理ステップは、フローチャート又はシーケンス図として記載した順序と異なる順序で実行されても、並列的に実行されてもよい。
【０２３４】  また、本明細書の装置（例えば、端末装置、基地局もしくは制御エンティティ、又はそのモジュール）に備えられるプロセッサ（例えば、ＣＰＵ、ＤＳＰなど）を上記装置として機能させるためのコンピュータプログラム（換言すると、上記プロセッサに上記装置の構成要素の動作を実行させるためのコンピュータプログラム）も作成可能である。また、当該コンピュータプログラムを記録した記録媒体も提供されてもよい。また、上記コンピュータプログラムを記憶するメモリと、上記コンピュータプログラムを実行可能な１つ以上のプロセッサとを備える装置（例えば、完成品、又は完成品のためのモジュール（部品、処理回路若しくはチップなど））も提供されてもよい。また、上記装置の１つ以上の構成要素（例えば、情報取得部及び／又は制御部など）の動作を含む方法も、本開示に係る技術に含まれる。
【０２３５】  また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２３６】  なお、以下のような構成も本開示の技術的範囲に属する。（１）  接続状態にある基地局のそれぞれのアンテナポートに割り当てられ、前記基地局からビームフォーミングされる重み付けされたリファレンス信号の受信強度について、前記アンテナポートに紐付いた測定報告を、１つ以上のアンテナポート毎に行う制御部を備える、端末装置。（２）  前記制御部は、データ信号用の所定のチャネルに割り当てられた前記基地局の固有ビームの前記リファレンス信号の受信強度と、他の前記リファレンス信号の受信強度とから、ビーム間干渉推定値を算出する、前記（１）に記載の端末装置。（３）  前記制御部は、前記ビーム間干渉推定値が所定の閾値を超えた場合に、該ビーム間干渉推定値を含んだ測定報告を前記基地局に送信する、前記（２）に記載の端末装置。（４）  前記制御部は、サブバンド毎に前記ビーム間干渉推定値を含んだ測定報告を行う、前記（２）または（３）に記載の端末装置。（５）  前記制御部は、前記リファレンス信号の受信時に選択したアンテナポートの情報を含んだ測定報告を行う、前記（２）〜（４）のいずれかに記載の端末装置。（６）  前記制御部は、サブバンド毎に前記受信強度の測定報告を行う、前記（１）〜（５）のいずれかに記載の端末装置。（７）  前記基地局からデータ信号用の所定のチャネルがビームフォーミングして送信される際に、ＦＤ−ＭＩＭＯ（Ｆｕｌｌ−Ｄｉｍｅｎｓｉｏｎ  ＭＩＭＯ）用の送信モードであることを前記基地局から取得する取得部を備える、前記（１）〜（６）のいずれかに記載の端末装置。（８）  前記取得部は、ＦＤ−ＭＩＭＯ用の送信モードであることをＲＲＣ（Ｒａｄｉｏ  Ｒｅｓｏｕｒｃｅ  Ｃｏｎｔｒｏｌ）シグナリングで前記基地局から取得する、前記（７）に記載の端末装置。（９）  前記基地局からデータ信号用の所定のチャネルがビームフォーミングして送信される際に、前記所定のチャネルに割り当てられたビームのアンテナポートの情報を前記基地局から取得する取得部を備える、前記（１）〜（６）のいずれかに記載の端末装置。（１０）  前記取得部は、前記アンテナポートの情報を、ＲＲＣシグナリングで前記基地局から取得する、前記（９）に記載の端末装置。（１１）  それぞれのアンテナポートに重み付けされたリファレンス信号を割り当ててビームフォーミングして送信する送信部と、  前記リファレンス信号の受信強度について、１つ以上の前記アンテナポート毎に前記アンテナポートに紐付いた測定報告を接続状態にある端末装置から取得する取得部と、を備える、無線通信装置。（１２）  前記送信部は、ＦＤ−ＭＩＭＯに対応する端末装置にデータ信号用の所定のチャネルをビームフォーミングして送信する際に、ＦＤ−ＭＩＭＯ用の送信モードであることを前記端末装置に通知する、前記（１１）に記載の無線通信装置。（１３）  前記送信部は、ＦＤ−ＭＩＭＯ用の送信モードであることをＲＲＣシグナリングで前記端末装置に通知する、前記（１２）に記載の無線通信装置。（１４）  前記送信部は、ＦＤ−ＭＩＭＯに対応する端末装置にデータ信号用の所定のチャネルをビームフォーミングして送信する際に、前記所定のチャネルに割り当てられたビームのアンテナポートの情報を前���端末装置に通知する、前記（１１）に記載の無線通信装置。（１５）  前記送信部は、前記アンテナポートの情報を、ＲＲＣシグナリングで前記端末装置ごとに通知する、前記（１４）に記載の無線通信装置。（１６）  前記取得部は、前記端末装置からビーム間干渉推定値を取得し、前記送信部は、前記ビーム間干渉推定値に基づいて他の基地局との間でスケジューリングの情報を通信する、前記（１１）〜（１５）のいずれかに記載の無線通信装置。（１７）  前記送信部は、スケジューリングの対象となるサブバンドの情報を通信する、前記（１６）に記載の無線通信装置。（１８）  前記送信部は、スケジューリングの対象となるビームを特定するビーム識別子の情報を通信する、前記（１６）または（１７）に記載の無線通信装置。（１９）  前記送信部は、スケジューリングの対象となるビームを送信するアンテナポートの情報を通信する、前記（１６）〜（１８）のいずれかに記載の無線通信装置。（２０）  接続状態にある基地局のそれぞれのアンテナポートに割り当てられ、前記基地局からビームフォーミングされる重み付けされたリファレンス信号の受信強度について、前記アンテナポートに紐付いた測定報告を、１つ以上のアンテナポート毎に行うことを含む、通信方法。（２１）  それぞれのアンテナポートに重み付けされたリファレンス信号を割り当ててビームフォーミングして送信することと、  前記リファレンス信号の受信強度について、１つ以上の前記アンテナポート毎に前記アンテナポートに紐付いた測定報告を接続状態にある端末装置から取得することと、を含む、通信方法。（２２）  接続状態にある基地局のそれぞれのアンテナポートに割り当てられ、前記基地局からビームフォーミングされる重み付けされたリファレンス信号の受信強度について、前記アンテナポートに紐付いた測定報告を、１つ以上のアンテナポート毎に行うことをコンピュータに実行させる、コンピュータプログラム。（２３）  コンピュータに、  それぞれのアンテナポートに重み付けされたリファレンス信号を割り当ててビームフォーミングして送信することと、  前記リファレンス信号の受信強度について、１つ以上の前記アンテナポート毎に前記アンテナポートに紐付いた測定報告を接続状態にある端末装置から取得することと、を実行させる、コンピュータプログラム。
【符号の説明】
【０２３７】  １        通信システム  １００    端末装置  ２００    基地局  ３００    制御エンティティ
【図１】
2017086011.tif 000008
【図２】
2017086011.tif 000009
【図３】
2017086011.tif 000010
【図４】
2017086011.tif 000011
【図５】
2017086011.tif 000012
【図６】
2017086011.tif 000013
【図７】
2017086011.tif 000014
【図８】
2017086011.tif 000015
【図９】
2017086011.tif 000016
【図１０】
2017086011.tif 000017
【図１１】
2017086011.tif 000018
【図１２】
2017086011.tif 000019
【図１３】
2017086011.tif 000020
【図１４】
2017086011.tif 000021
【図１５】
2017086011.tif 000022
【図１６】
2017086011.tif 000023
【図１７】
2017086011.tif 000024
【図１８】
2017086011.tif 000025
【図１９】
2017086011.tif 000026
【図２０】
2017086011.tif 000027
【図２１】
2017086011.tif 000028
【図２２】
2017086011.tif 000029
【国際調査報告】
2017086011.tif 000030
2017086011.tif 000031
2017086011.tif 000032
2017086011.tif 000033